(57)【要約】【課題】多様な再生環境のためのダイナミックレンジ制御を提供する。【解決手段】オーディオ・エンコーダにおいて、源オーディオ・フォーマットにおいて受領されたオーディオ・コンテンツについて、デフォルト・ダイナミックレンジ圧縮（DRC）曲線に基づいてデフォルト利得が生成され、非デフォルト利得プロファイルのために非デフォルト利得が生成される。デフォルト利得と非デフォルト利得に基づいて、差分利得が生成される。オーディオ・コンテンツ、デフォルトDRC曲線および差分利得を含むオーディオ信号が生成される。オーディオ・デコーダでは、デフォルトDRC曲線および差分利得がオーディオ信号から同定される。デフォルトDRC曲線に基づいてデフォルト利得が再生成される。再生成されたデフォルト利得と差分利得の組み合わせに基づいて、オーディオ信号から抽出されたオーディオ・コンテンツに対して動作が実行される。【選択図】図３
2020039181.tif 000002
【特許請求の範囲】
【請求項１】
一つまたは複数のプロセッサと；
ソフトウェア命令を記憶している非一時的なコンピュータ可読記憶媒体とを有する装置であって、前記ソフトウェア命令は前記一つまたは複数のプロセッサによって実行されると：
参照チャネル構成とは異なる特定の再生環境において動作するオーディオ・デコーダによって、前記参照チャネル構成のためのオーディオ信号を受領する段階であって、前記オーディオ信号はオーディオ・サンプル・データおよびエンコーダで生成されたダイナミックレンジ制御（DRC）メタデータを含み、前記エンコーダで生成されたDRCメタデータは複数の再生環境のためのDRC利得の複数の集合を含み、DRC利得の前記複数の集合は、前記複数の再生環境における各再生環境についてDRC利得のそれぞれの一つまたは複数の集合を含む、段階と；
前記複数の再生環境のためのDRC利得の前記複数の集合のうちから、前記特定の再生環境に基づいて、前記特定の再生環境に関係するDRC利得の一つまたは複数の集合を選択する段階と；
DRC利得の前記一つまたは複数の集合を、前記オーディオ・サンプル・データに適用される全体的な利得の一部として、前記オーディオ・サンプル・データに適用して、出力DRCオーディオ・データを生成する段階とを実行させる、
装置。
【請求項２】
前記全体的な利得が：ダウンミックスに関係した利得、前記オーディオ・サンプル・データの入力ダイナミックレンジが変換されるもとのダイナミックレンジを復元することに関係した利得、利得制限に関係した利得、利得平滑化に関係した利得またはダイアログ・ラウドネス正規化に関係した利得のうちの一つまたは複数を含む、請求項１記載の装置。
【請求項３】
前記特定の再生環境が前記参照チャネル構成とは異なる数のオーディオ・チャネルをもつ、請求項１記載の装置。
【請求項４】
前記ソフトウェア命令が、一つまたは複数のプロセッサによって実行されると、前記オーディオ・サンプル・データをダウンミックスして、前記特定の再生環境の前記オーディオ・チャネルのためのダウンミックスされたオーディオ・サンプル・データにすることを実行させる命令を含む、請求項１記載の装置。
【請求項５】
前記エンコーダで生成されたDRCメタデータが、DRC利得の前記一つまたは複数の集合についての定義データをさらに含む、請求項１記載の装置。
【請求項６】
前記全体的な利得は、部分的に／個別的に適用される、直列に適用される、並列に適用されるまたは部分的には直列に部分的には並列に適用される利得を含む、請求項１記載の装置。
【請求項７】
DRC利得の前記一つまたは複数の集合は、前記特定の再生環境におけるチャネルの部分集合に適用されるDRC利得の集合を含む、請求項１記載の装置。
【請求項８】
前記特定の再生環境は、複数のDRCプロファイルにおけるあるDRCプロファイルに対応する、請求項１記載の装置。
【請求項９】
前記ソフトウェア命令が、一つまたは複数のプロセッサによって実行されると、前記エンコーダで生成されたDRCメタデータを使って、プログラム間でのラウドネス・レベルの相違を減らすことを実行させる命令を含む、請求項１記載の装置。
【請求項１０】
前記オーディオ・サンプル・データがオーディオ・データ・フレームにおけるサブフレームを表わし、DRC利得の前記一つまたは複数の集合は前記オーディオ・データ・フレームにおける前記サブフレームに適用される、請求項１記載の装置。
【請求項１１】
DRC利得の前記一つまたは複数の集合が個々の周波数帯域についての個々の利得を含む、請求項１記載の装置。
【請求項１２】
DRC利得の前記一つまたは複数の集合における第一の利得は第一の周波数帯域に適用され、DRC利得の前記一つまたは複数の集合における第二の異なる利得は第二の異なる周波数帯域に適用される、請求項１１記載の装置。
【請求項１３】
DRC利得の前記一つまたは複数の集合における第一の利得は第一のチャネルに適用され、DRC利得の前記一つまたは複数の集合における第二の異なる利得は第二の異なるチャネルに適用される、請求項１記載の装置。
【請求項１４】
DRC利得の前記一つまたは複数の集合は、前記エンコーダで生成されたDRCメタデータにおいて差分符号化される、請求項１記載の装置。
【請求項１５】
前記特定の再生環境が二チャネル構成である、請求項１記載の装置。
【発明の詳細な説明】
【技術分野】
【０００１】
関連出願への相互参照
本願は2013年9月12日に出願された米国仮特許出願第61/877,230号、2013年10月15日に出願された米国仮特許出願第61/891,324号および2014年2月10日に出願された米国仮特許出願第61/938,043号の優先権を主張するものである。各出願の内容はここに参照によってその全体において組み込まれる。
【０００２】
技術
本発明は、概括的にはオーディオ信号の処理に、より詳細にはダイナミックレンジ制御および他の型のオーディオ処理動作を幅広い多様な再生環境のうちの任意のものにおいてオーディオ信号に適用することに使用されうる技法に関する。
【背景技術】
【０００３】
メディア消費装置の高まる人気は、そうした装置での再生のためのメディア・コンテンツのクリエーターおよび頒布者にとって、またはそうした装置の設計者および製造業者にとって新たな機会と課題を作り出した。多くの消費者装置は幅広いメディア・コンテンツの型およびフォーマットを再生でき、中にはHDTV、ブルーレイまたはDVDのためのしばしば高品質、広帯域幅および広いダイナミックレンジのオーディオ・コンテンツに関連するものも含まれる。メディア処理装置は、この型のオーディオ・コンテンツを、自らの内部音響トランスデューサ上でまたはヘッドフォンのような外部トランスデューサ上で再生するために使用されうる。しかしながら、メディア処理装置は一般には、多様なメディア・フォーマットおよびコンテンツ型にわたる一貫したラウドネスおよび了解性をもってこのコンテンツを再生することはできない。
【０００４】
このセクションで記述されたアプローチは、追求されることができたが必ずしも以前に着想または追求されたアプローチではない。したがって、特に断りのない限り、このセクションにおいて記述されるアプローチはいずれも、このセクションに含まれているというだけのために従来技術の資格をもつと想定されるべきではない。同様に、特に断りのない限り、一つまたは複数のアプローチに関して特定されている問題は、このセクションに基づいて何らかの従来技術において認識されていたと想定されるべきではない。
【図面の簡単な説明】
【０００５】
本発明は、限定ではなく例として、付属の図面において示される。図面において、同様の参照符号は同様の要素を指す。
【図１Ａ】例示的なオーディオ・デコーダを示す図である。
【図１Ｂ】例示的なオーディオ・エンコーダを示す図である。
【図２Ａ】例示的なダイナミックレンジ圧縮曲線を示す図である。
【図２Ｂ】例示的なダイナミックレンジ圧縮曲線を示す図である。
【図３】組み合わされたDRCおよび制限利得の決定／計算の例示的な処理論理を示す図である。
【図４】利得の例示的な差分符号化を示す図である。
【図５】オーディオ・エンコーダおよびオーディオ・デコーダを有する例示的なコーデック・システムを示す図である。
【図５Ａ】例示的なオーディオ・デコーダを示す図である。
【図６Ａ】例示的なプロセス・フローを示す図である。
【図６Ｂ】例示的なプロセス・フローを示す図である。
【図６Ｃ】例示的なプロセス・フローを示す図である。
【図６Ｄ】例示的なプロセス・フローを示す図である。
【図７】本稿に記載されるコンピュータまたはコンピューティング装置が実装されうる例示的なハードウェア・プラットフォームを示す図である。
【発明を実施するための形態】
【０００６】
ダイナミックレンジ制御および他の型のオーディオ処理動作を幅広い多様な再生環境のうちの任意のものにおいてオーディオ信号に適用することに関する例示的実施形態が本稿で記述される。以下の記述では、説明の目的のため、本発明の十全な理解を提供するために、説明の目的で数多くの個別的詳細が記載される。しかしながら、本発明がそうした個別的詳細なしでも実施されうることは明白であろう。他方、本発明を無用に隠蔽し、かすませ、あるいは埋没させるのを避けるために、よく知られた構造および装置は網羅的な詳細さでは記述されない。
【０００７】
例示的実施形態は本稿では以下のアウトラインに従って記述される。
１．全般的概観
２．ダイナミックレンジ制御
３．オーディオ・デコーダ
４．オーディオ・エンコーダ
５．ダイナミックレンジ圧縮曲線
６．DRC利得、利得制限および利得平滑化
７．入力平滑化および利得平滑化
８．複数周波数帯域にわたるDRC
９．ラウドネス領域でのボリューム調整
１０．差分利得による利得プロファイル
１１．利得に関係した追加的動作
１２．特定的およびブロードバンド（または広帯域）のラウドネス・レベル
１３．チャネルの個々の部分集合のための個々の利得
１４．聴覚シーン解析
１５．ラウドネス・レベル遷移
１６．リセット
１７．エンコーダによって提供される利得
１８．例示的なシステムおよびプロセス・フロー
１９．実装機構――ハードウェアの概観
２０．等価物、拡張、代替その他。
【０００８】
〈１．全般的概観〉
この概観は、本発明の実施形態のいくつかの側面の基本的な記述を提示する。この概観は該実施形態の諸側面の包括的ないし網羅的な要約ではないことは注意しておくべきである。さらに、この概観は、該実施形態の何らかの特に有意な側面もしくは要素を特定するものと理解されることも、一般には本発明の、特に該実施形態の何らかの範囲を画定するものと理解されることも、意図されていないことを注意しておくべきである。この概観は単に、その例示的実施形態に関係するいくつかの概念を凝縮された単純化された形式で提示するものであり、単に後続の例示的な諸実施形態のより詳細な説明への概念的な導入部として理解されるべきである。別個の諸実施形態が本稿において論じられるが、本稿で論じられる実施形態および／または部分実施形態の任意の組み合わせがさらなる実施形態をなすよう組み合わされてもよいことを注意しておく。
【０００９】
いくつかのアプローチでは、エンコーダは、ダイナミックレンジ制御の目的のためにオーディオ・コンテンツが特定の環境のためにエンコードされていることを想定し、その特定の環境のために、ダイナミックレンジ制御などのための利得のようなオーディオ処理パラメータを決定する。これらのアプローチのもとでエンコーダによって決定される利得は、典型的には、何らかの時定数をもって（たとえば指数関数型減衰関数などにおいて）、何らかの時間区間にわたってなどで平滑化されたものである。さらに、これらのアプローチのもとでエンコーダによって決定される利得は、想定される環境について信号がクリッピング・レベルを上回らないことを保証する利得制限のために組み込まれたものであってもよい。よって、これらのアプローチのもとでエンコーダによってオーディオ情報とともにオーディオ信号中にエンコードされる利得は、多くの異なる影響の結果であり、不可逆である。これらのアプローチのもとで利得を受け取るデコーダは、利得のどの部分がダイナミックレンジ制御のためで、利得のどの部分が利得平滑化のためで、利得のどの部分が利得制限のためであるかなどを区別できないであろう。
【００１０】
本稿に記載される技法のもとでは、オーディオ・エンコーダは、オーディオ・デコーダにおける特定の再生環境がサポートされるだけでよいとは想定しない。ある実施形態では、オーディオ・エンコーダは、（たとえばクリッピングなどのない）正しいラウドネス・レベルが決定できるもとになるオーディオ・コンテンツをもつエンコードされたオーディオ信号を送信する。オーディオ・エンコーダは一つまたは複数のダイナミックレンジ圧縮曲線もオーディオ・デコーダに送信してもよい。該一つまたは複数のダイナミックレンジ圧縮曲線のいずれも、標準ベースのものでも、独自のものでも、カスタマイズされたものでも、コンテンツ・プロバイダー固有のものなどでもよい。参照ラウドネス・レベル、アタック時間、リリース時間などがオーディオ・エンコーダによって、前記一つまたは複数のダイナミックレンジ圧縮曲線の一部としてまたは前記一つまたは複数のダイナミックレンジ圧縮曲線との関連で送信されてもよい。
【００１１】
いくつかの実施形態では、オーディオ・エンコーダは、聴覚シーン解析（ASA:  auditory  scene  analysis）技法を実装し、該ASA技法をオーディオ・コンテンツにおける聴覚イベントを検出するために使い、検出された聴覚イベントを記述する一つまたは複数のASAパラメータをオーディオ・デコーダに送る。
【００１２】
いくつかの実施形態では、オーディオ・エンコーダは、オーディオ・コンテンツにおけるリセット・イベントを検出し、該リセット・イベントの指標を時間同期的な仕方でオーディオ・コンテンツと一緒にオーディオ・デコーダなどのような下流の装置に送るようにも構成されることができる。
【００１３】
いくつかの実施形態では、オーディオ・エンコーダは、オーディオ・コンテンツの個々の部分（たとえばオーディオ・データ・ブロック、オーディオ・データ・フレームなど）のための利得（たとえばDRC利得など）の一つまたは複数の集合を計算し、該利得の集合を、オーディオ・コンテンツの該個々の部分と一緒に、エンコードされたオーディオ信号中にエンコードするよう構成されることができる。いくつかの実施形態では、オーディオ・エンコーダによって生成される利得の集合は、一つまたは複数の利得プロファイル（たとえば表１に示されるようなもの）に対応する。いくつかの実施形態では、ハフマン符号化、差分符号化などが前記利得の集合を諸オーディオ・データ・フレームの構成要素、細分などに符号化し、あるいは該構成要素、細分などから前記利得の集合を読み取るために使用されてもよい。これらの構成要素、細分などは、オーディオ・データ・フレームのサブフレームと称されることがある。利得の異なる集合がサブフレームの異なる集合に対応してもよい。利得の各集合またはサブフレームの各集合が二つ以上の時間的構成要素（たとえばサブフレームなど）を有していてもよい。いくつかの実施形態では、本稿に記載されるオーディオ・エンコーダにおけるビットストリーム・フォーマット器は、一つまたは複数のforループを用いて、利得の一つまたは複数の集合を、差分データ符号として、オーディオ・データ・フレームにおけるサブフレームの一つまたは複数の集合中に一緒に書き込んでもよい。対応して、本稿に記載されるオーディオ・デコーダにおけるビットストリーム・パーサーは、オーディオ・データ・フレームにおけるサブフレームの前記一つまたは複数の集合から、前記差分データ符号として符号化された利得の前記一つまたは複数の集合のいずれかを読んでもよい。
【００１４】
いくつかの実施形態では、オーディオ・エンコーダは、エンコードされたオーディオ信号中にエンコードされるべきオーディオ・コンテンツにおけるダイアログ・ラウドネス・レベルを決定し、ダイアログ・ラウドネス・レベルをオーディオ・コンテンツと一緒にオーディオ・デコーダに送る。
【００１５】
いくつかの実施形態では、オーディオ・エンコーダは、下流の受領側オーディオ・デコーダに、再生環境またはシナリオにおけるデフォルト利得プロファイルについてのデフォルト・ダイナミック圧縮曲線を送る。いくつかの実施形態では、オーディオ・エンコーダは、下流の受領側オーディオ・デコーダが再生環境またはシナリオにおけるデフォルト利得プロファイルについてのデフォルト・ダイナミック圧縮曲線を使うと想定する。いくつかの実施形態では、オーディオ・エンコーダは、下流の受領側オーディオ・デコーダにおいて定義されている一つまたは複数のダイナミック圧縮曲線のうちのどれが再生環境またはシナリオにおいて使われるべきかについての下流の受領側オーディオ・デコーダへの指標を送る。いくつかの実施形態では、一つまたは複数の非デフォルト利得プロファイルのそれぞれについて、オーディオ・エンコーダは、エンコードされたオーディオ信号によって担持されるメタデータの一部として、その非デフォルト・プロファイルに対応する（たとえば非デフォルトなどの）ダイナミック圧縮曲線を送る。本稿に記載される技法は、デフォルト圧縮曲線に関係した差分利得の複数の集合が、上流のエンコーダによって生成され下流のデコーダに送られることを許容する。このことは、フル利得値を伝送することに比べ要求されるビットレートを比較的低く保ちつつ、デコーダにおけるDRC圧縮器（たとえば、圧縮曲線に基づく利得を計算するプロセスおよび平滑化動作など）の設計における多大な自由を許容する。単に例解のために、デフォルト・プロファイルまたはデフォルトDRC曲線は、それとの関係で非デフォルト・プロファイルまたは非デフォルトDRC曲線のための差分利得が具体的に計算できるものとして言及された。しかしながら、これは単に例解のためであり、（たとえばメディア・データ・ストリームなどにおいて）デフォルト・プロファイルと非デフォルト・プロファイルを区別する厳密な必要性はない。さまざまな実施形態において、他のすべてのプロファイルは、同じ特定の（たとえば「デフォルト」などの）圧縮曲線に比した差分利得でありうるからである。本稿での用法では、「利得プロファイル」は、DRC動作を実行する圧縮器の動作モードとしてDRCモードということがある。いくつかの実施形態では、DRCモードは、再生装置の具体的な型（AVRかTVかタブレットか）および／または環境（騒々しいか静穏か深夜か）に関係する。各DRCモードは利得プロファイルに関連付けられることができる。利得プロファイルは、定義データによって表現されてもよく、該定義データに基づいて、圧縮器はDRC動作を実行する。いくつかの実施形態では、利得プロファイルは、DRC動作において使用されるDRC曲線（可能性としてはパラメータ表現されている）および時定数であることができる。いくつかの実施形態では、利得プロファイルは、オーディオ信号に応答したDRC動作の出力としてのDRC利得の集合であることができる。異なるDRCモードのプロファイルは、異なる量の圧縮に対応してもよい。
【００１６】
いくつかの実施形態では、オーディオ・エンコーダは、デフォルト利得プロファイルに対応するデフォルト・ダイナミックレンジ圧縮曲線に基づいてオーディオ・コンテンツのためのデフォルトの（たとえばフルDRCおよび非DRC、フルDRCなど）利得の集合を決定し、一つまたは複数の非デフォルト利得プロファイルのそれぞれについて、同じオーディオ・コンテンツについての非デフォルトの（たとえばフルDRCおよび非DRC、フルDRCなど）利得の集合を決定する。次いで、オーディオ・エンコーダは、デフォルト利得プロファイルについてのデフォルト（たとえばフルDRCおよび非DRC、フルDRCなど）利得の集合と、非デフォルト利得プロファイルについての非デフォルト（たとえばフルDRCおよび非DRC、フルDRCなど）利得の集合との間の利得の差を決定し、該利得の差を差分利得の集合に含めるなどすることができる。非デフォルト再生環境またはシナリオに関係した非デフォルト・プロファイルについて（たとえば非デフォルトなどの）ダイナミック圧縮曲線を送る代わりに、オーディオ・エンコーダは、差分利得の集合を、非デフォルト・ダイナミック圧縮曲線の代わりにまたはそれに加えて、エンコードされたオーディオ信号によって担持されるメタデータの一部として、送ることができる。
【００１７】
差分利得の集合は、非デフォルト（たとえばフルDRCおよび非DRC、フルDRCなど）利得の集合より大きさが小さくてもよい。このように、非差分（たとえばフルDRCおよび非DRC、フルDRCなど）利得ではなく差分利得を伝送することは、非差分（たとえばフルDRCおよび非DRC、フルDRCなど）利得を直接伝送することに比べ、要求するビットレートが低いことがありうる。
【００１８】
本稿に記載されるエンコードされたオーディオ信号を受領するオーディオ・デコーダは、異なる製造業者によって提供されたものであってもよく、異なるコンポーネントおよび設計をもって実装されている。オーディオ・デコーダは、異なる時点でエンドユーザーにリリースされたものであってもよく、あるいは異なるバージョンのハードウェア、ソフトウェア、ファームウェアをもって更新されたものであってもよい。結果として、それらのオーディオ・デコーダは、異なるオーディオ処理機能を有していてもよい。いくつかの実施形態では、多数のオーディオ・デコーダが、標準、独自の要求などによって規定されるデフォルト利得プロファイルのような利得プロファイルの制限された集合をサポートする機能を備えることがある。多数のオーディオ・デコーダは、デフォルト利得プロファイルを表わすデフォルト・ダイナミックレンジ圧縮曲線に基づいて、該デフォルト利得プロファイルについての利得を生成するための関連する利得生成動作を実行する機能をもって構成されていてもよい。デフォルト利得プロファイルについてのデフォルト・ダイナミックレンジ圧縮曲線をオーディオ信号において伝送することは、デフォルト利得プロファイルについて生成／計算された利得をオーディオ信号において伝送することよりも、効率的でありうる。
【００１９】
他方、非デフォルト利得プロファイルについて、オーディオ・エンコーダは、特定のデフォルト利得プロファイルに対応する特定のデフォルト・ダイナミックレンジ圧縮曲線を参照して、差分利得を事前生成することができる。該オーディオ・エンコーダによって生成されたオーディオ信号において該差分利得を受領することに応答して、オーディオ・デコーダは、オーディオ信号において受領されたデフォルト・ダイナミックレンジ圧縮曲線に基づいてデフォルト利得を生成し、受領された差分利得と生成されたデフォルト利得を非デフォルト利得プロファイルについての非デフォルト利得に組み合わせ、該非デフォルト利得をオーディオ信号からデコードされたオーディオ・コンテンツに適用するなどしつつ、受領されたオーディオ・コンテンツをレンダリングすることができる。いくつかの実施形態では、非デフォルト利得プロファイルはデフォルト・ダイナミックレンジ圧縮曲線の制限を保証するために使用されてもよい。
【００２０】
本稿に記載される技法は、新たな利得プロファイル、特徴または向上のための柔軟なサポートを提供するために使用できる。いくつかの実施形態では、少なくとも一つの利得プロファイルは、デフォルトであれ非デフォルトであれダイナミックレンジ圧縮曲線を用いて簡単に表現できない。いくつかの実施形態では、少なくとも一つの利得プロファイルは、特定のオーディオ・コンテンツ（たとえば特定の映画など）に固有であってもよい。非デフォルト利得プロファイルの表現（たとえばパラメータ化されたDRC曲線）が、エンコードされたオーディオ信号において担持できるより多くのパラメータ、平滑化定数などを該エンコードされたオーディオ信号において伝送することを必要とすることがあることもありうる。いくつかの実施形態では、少なくとも一つの利得プロファイルが特定のオーディオ・コンテンツ・プロバイダー（たとえば特定のスタジオなど）に固有であってもよい。
【００２１】
このように、本稿に記載されるオーディオ・エンコーダは、新たな利得プロファイルをサポートすることにおいて主導することができる。それは、該新たな利得プロファイルのための利得生成動作および該新たな利得プロファイルが関係するデフォルト利得プロファイルについての利得生成動作を実装することによる。下流の受領側オーディオ・デコーダは、新たな利得プロファイルについての利得生成動作をする必要がない。むしろ、オーディオ・デコーダは、該オーディオ・デコーダが新たな利得プロファイルについての利得生成動作を実行することなく、オーディオ・エンコーダによって生成された非デフォルト差分利得を活用することによって、新たな利得プロファイルをサポートできる。
【００２２】
いくつかの実施形態では、エンコードされたオーディオ信号においてエンコードされているプロファイル関係メタデータにおいて、一つまたは複数の（たとえばデフォルトなどの）ダイナミックレンジ圧縮曲線および（たとえば非デフォルトなどの）差分利得の一つまたは複数の集合が、たとえば前記一つまたは複数の（たとえばデフォルトなどの）ダイナミックレンジ圧縮曲線および（たとえば非デフォルトなどの）差分利得の一つまたは複数の集合が対応するそれぞれの利得プロファイルに従って、構造化、インデックス付けなどされる。いくつかの実施形態では、非デフォルト差分利得の集合とデフォルト・ダイナミックレンジ圧縮曲線との間の関係が前記プロファイル関係メタデータにおいて指示されてもよい。これは、該メタデータにおいて二つ以上のデフォルト・ダイナミックレンジ圧縮曲線が存在する、あるいは該メタデータにはなくても下流のデコーダにおいて定義されるときに特に有用でありうる。該プロファイル関係メタデータにおいて指示された関係に基づいて、受領側オーディオ・デコーダは、デフォルト利得の集合を生成するためにどのデフォルト・ダイナミックレンジ圧縮曲線が使用されるべきかを決定することができる。生成された利得は次いで、たとえばデフォルト・ダイナミックレンジ圧縮曲線の制限を補償するために、非デフォルト利得を生成するために、非デフォルト差分利得の受領された集合と組み合わされることができる。
【００２３】
本稿に記載される技法は、オーディオ・デコーダが、仮定のオーディオ・デコーダにおける仮定の再生環境、シナリオなどを想定しつつ、オーディオ・エンコーダなどのような上流の装置によって実行されたかもしれない（たとえば不可逆などの）オーディオ処理とロックインされることを要求しない。本稿に記載されるデコーダは、たとえばオーディオ・コンテンツにおいて存在する種々のラウドネス・レベルを区別し、境界ラウドネス・レベルまたはその近くでのオーディオ知覚品質の損失を最小限にし、チャネルまたはチャネルの部分集合の間での空間的バランスを維持するなどのために、特定の再生シナリオに基づいてオーディオ処理動作をカスタマイズするよう構成されていてもよい。
【００２４】
ダイナミックレンジ圧縮曲線、参照ラウドネス・レベル、アタック時間、リリース時間などをもつエンコードされたオーディオ信号を受領するオーディオ・デコーダは、デコーダにおいて使われている特定の再生環境を決定し、該特定の再生環境に対応する、対応する参照ラウドネス・レベルをもつ特定の圧縮曲線を選択することができる。
【００２５】
デコーダは、エンコードされたオーディオ信号から抽出されたオーディオ・コンテンツの個々の部分（たとえばオーディオ・データ・ブロック、オーディオ・データ・フレームなど）におけるラウドネス・レベルを計算／決定する、あるいはオーディオ・エンコーダがラウドネス・レベルを計算してエンコードされたオーディオ信号において提供していた場合にはオーディオ・コンテンツの個々の部分におけるラウドネス・レベルを取得することができる。オーディオ・コンテンツの個々の部分におけるラウドネス・レベル、オーディオ・コンテンツの以前の部分におけるラウドネス・レベル、利用可能であればオーディオ・コンテンツのその後の部分におけるラウドネス・レベル、前記特定の圧縮曲線、前記特定の再生環境またはシナリオに関係した特定のプロファイルなどのうちの一つまたは複数に基づいて、デコーダは、ダイナミックレンジ制御のための利得（DRC利得）、アタック時間、リリース時間などのようなオーディオ処理パラメータを決定する。オーディオ処理パラメータは、特定の再生環境についての特定の参照ラウドネス・レベル（これはユーザー調整可能であってもよい）にダイアログ・ラウドネス・レベルを揃えるための調整をも含むことができる。
【００２６】
デコーダは、前記オーディオ処理パラメータをもって、（たとえばマルチチャネル、マルチ帯域などの）ダイナミックレンジ制御、ダイアログ・レベル調整などを含むオーディオ処理動作を適用する。デコーダによって実行されるオーディオ処理動作はさらに、選択されたダイナミックレンジ圧縮曲線の一部としてまたはそれとの関連で提供されるアタック時間およびリリース時間に基づく利得平滑化、クリッピングを防止するための利得制限などを含んでいてもよいが、それだけに限られるものではない。異なるオーディオ処理動作は、異なる（たとえば調整可能、閾値依存、制御可能などの）時定数をもって実行されてもよい。たとえば、クリッピングを防止するための利得制限は、比較的短い時定数（たとえば瞬間的、約5.3ミリ秒など）をもって個々のオーディオ・データ・ブロック、個々のオーディオ・データ・フレームなどに適用されてもよい。
【００２７】
いくつかの実施形態では、デコーダは、エンコードされたオーディオ信号におけるメタデータからASAパラメータ（たとえば、聴覚イベント境界の時間的位置、イベント確実性指標の時間依存値など）を抽出し、抽出されたASAパラメータに基づいて聴覚イベントにおける利得平滑化の速度を制御する（たとえば、聴覚イベント境界ではアタックについて短い時定数を使う、聴覚イベント内の利得平滑化を遅くするために長い時定数を使うなど）よう構成されることができる。
【００２８】
いくつかの実施形態では、デコーダは、ある時間区間または窓についての瞬時ラウドネス・レベルのヒストグラムも維持し、該ヒストグラムを、プログラムとプログラムの間、プログラムとコマーシャルの間などのラウドネス・レベル遷移における利得変化の速度をたとえば時定数を修正することによって制御するために使う。
【００２９】
いくつかの実施形態では、デコーダは、二つ以上のスピーカー構成（たとえば、スピーカーでのポータブル・モード、ヘッドフォンでのポータブル・モード、ステレオ・モード、マルチチャネル・モードなど）をサポートする。デコーダは、たとえば同じオーディオ・コンテンツを再生するときに、二つの異なるスピーカー構成の間で（たとえばステレオ・モードとマルチチャネル・モードの間などで）同じラウドネス・レベルを維持するよう構成されていてもよい。オーディオ・デコーダは、ある参照スピーカー構成についてのエンコードされたオーディオ信号から受領されるマルチチャネル・オーディオ・コンテンツを、該オーディオ・デコーダにおける特定のスピーカー構成にダウンミックスするために、一つまたは複数のダウンミックスの式を使ってもよい。前記マルチチャネル・オーディオ・コンテンツは、前記参照スピーカー構成のために符号化されたものである。
【００３０】
いくつかの実施形態では、本稿に記載されるオーディオ・デコーダにおいて自動利得制御（AGC）が無効にされてもよい。
【００３１】
いくつかの実施形態では、オーディオビジュアル装置、フラットパネルTV、ハンドヘルド装置、ゲーム機、テレビジョン、ホームシアター・システム、タブレット、モバイル装置、ラップトップ・コンピュータ、ネットブック・コンピュータ、セルラー無線電話、電子書籍リーダー、ポイントオブセール端末、デスクトップ・コンピュータ、コンピュータ・ワークステーション、コンピュータ・キオスク、さまざまな他の種類の端末およびメディア処理ユニットなどを含むがそれに限られない、メディア処理システムの一部をなす。
【００３２】
本稿に記載される好ましい実施携帯および一般的な原理および特徴に対するさまざまな修正が、当業者にはすぐに明白となるであろう。よって、本開示は、示されている実施形態に限定されることは意図されておらず、本稿に記載される原理および特徴と整合する最も広い範囲を与えられるものである。
【００３３】
〈２．ダイナミックレンジ制御〉
カスタマイズされたダイナミックレンジ制御なしでは、入力オーディオ情報（たとえばPCMサンプル、QMFマトリクスにおける時間‐周波数サンプルなど）はしばしば、再生装置の特定の再生環境（すなわち、装置の物理的および／または機械的な再生限界を含む）には不適切なラウドネス・レベルで再生される。再生装置の特定の再生環境は、エンコードされたオーディオ・コンテンツがエンコード装置において符号化されたときに目標とされた再生環境とは異なることがありうるからである。
【００３４】
本稿に記載される技法は、オーディオ・コンテンツの知覚的品質を維持しつつ、幅広い多様な再生環境の任意のものにカスタマイズされた幅広い多様なオーディオ・コンテンツのダイナミックレンジ制御をサポートするために使用できる。
【００３５】
ダイナミックレンジ制御（DRC）とは、オーディオ・コンテンツにおけるラウドネス・レベルの入力ダイナミックレンジを、該入力ダイナミックレンジとは異なる出力ダイナミックレンジに変える（たとえば圧縮する、カットする、拡張する、ブーストするなど）時間依存のオーディオ処理動作をいう。たとえば、ダイナミックレンジ制御のシナリオにおいて、ソフトな音はより高いラウドネス・レベルにマッピング（たとえばブーストなど）されてもよく、ラウドな音はより低いラウドネス値にマッピング（たとえばカットなど）されてもよい。結果として、ラウドネス領域において、この例では、ラウドネス・レベルの出力範囲は、ラウドネス・レベルの入力範囲より小さくなる。しかしながら、いくつかの実施形態では、ダイナミックレンジ制御は、もとの範囲が復元されるよう可逆であることがある。たとえば、もとのラウドネス・レベルからマッピングされた出力ダイナミックレンジにおけるマッピングされたラウドネス・レベルがクリッピング・レベル以下である、各一意的なもとのラウドネス・レベルが一意的な出力ラウドネス・レベルにマッピングされるなどである限り、もとの範囲を復元するために伸張動作が実行されうる。
【００３６】
本稿に記載されるDRC技法は、ある種の再生環境または状況における、よりよい聴取経験を提供するために使用されることができる。たとえば、騒々しい環境におけるソフトな音は、該ソフトな音を聞こえなくするノイズによってマスクされてしまうことがありうる。逆に、たとえばやかましい隣人のようないくつかの状況においては、ラウドな音が望まれないことがありうる。典型的には小さな形状因子のラウドスピーカーをもつ多くの装置は、高い出力レベルで音を再生できない。いくつかの場合には、低めの信号レベルは人間の聴覚閾値より下で再生されることがありうる。DRC技法は、ダイナミックレンジ圧縮曲線を用いて見出されたDRC利得（たとえばオーディオ振幅をスケーリングするスケーリング因子、ブースト比、カット比など）に基づいて、入力ラウドネス・レベルを出力ラウドネス・レベルにマッピングすることを実行しうる。
【００３７】
ダイナミックレンジ圧縮曲線とは、個々のオーディオ・データ・フレームから決定される（たとえばダイアログ以外の音などの）個々の入力ラウドネス・レベルを、個々の利得またはダイナミックレンジ制御のための利得にマッピングする関数（たとえばルックアップテーブル、曲線、多セグメントの区分直線など）をいう。個々の利得のそれぞれは、対応する個々の入力ラウドネス・レベルに適用されるべき利得の大きさを指示する。個々の利得を適用した後の出力ラウドネス・レベルは、特定の再生環境における、当該個々のオーディオ・データ・フレームにおけるオーディオ・コンテンツのための、目標ラウドネス・レベルを表わす。
【００３８】
利得とラウドネス・レベルの間のマッピングを指定することに加えて、ダインミックレンジ圧縮曲線は、特定の利得を適用する際の特定のリリース時間およびアタック時間を含んでいてもよく、あるいはそれらを提供されてもよい。アタックとは、相続く時間サンプルの間の信号エネルギー（またはラウドネス）の増大をいう。一方、リリースとは、相続く時間サンプルの間の信号エネルギー（またはラウドネス）の減少をいう。アタック時間（たとえば10ミリ秒、20ミリ秒など）は、対応する信号がアタック・モードにあるときにDRC利得を平滑化する際に使われる時定数をいう。リリース時間（たとえば80ミリ秒、100ミリ秒など）は、対応する信号がリリース・モードにあるときにDRC利得を平滑化する際に使われる時定数をいう。いくつかの実施形態では、追加的、任意的または代替的に、これらの時定数は、DRC利得を決定する前の信号エネルギー（ラウドネス）の平滑化のために使われる。
【００３９】
異なる再生環境には異なるダイナミックレンジ圧縮曲線が対応しうる。たとえば、フラットパネルTVの再生環境についてのダイナミックレンジ圧縮曲線は、ポータブル装置の再生環境のためのダイナミックレンジ圧縮曲線とは異なっていてもよい。いくつかの実施形態では、再生装置は、二つ以上の再生環境を有していてもよい。たとえば、スピーカーを用いるあるポータブル装置の第一の再生環境のための第一のダイナミックレンジ圧縮曲線は、ヘッドセットを用いる同じポータブル装置の第二の再生環境のための第二のダイナミックレンジ圧縮曲線とは異なっていてもよい。
【００４０】
〈３．オーディオ・デコーダ〉
図１Ａは、データ抽出器１０４、ダイナミックレンジ・コントローラ１０６、オーディオ・レンダラー１０８などを有する例示的なオーディオ・デコーダ１００を示している。
【００４１】
いくつかの実施形態では、データ抽出器（１０４）はエンコードされた入力信号１０２を受領するよう構成されている。本稿に記載されるところのエンコードされた入力信号は、エンコードされた（たとえば圧縮などされた）入力オーディオ・データ・フレームおよびメタデータを含むビットストリームであってもよい。データ抽出器（１０４）は、エンコードされた入力信号（１０２）から入力オーディオ・データ・フレームおよびメタデータを抽出／デコードするよう構成されている。入力オーディオ・データ・フレームのそれぞれは、複数の符号化されたオーディオ・データ・ブロックを有し、そのそれぞれは複数のオーディオ・サンプルを表わす。各フレームはある数のオーディオ・サンプルを含む（たとえば一定の）時間区間を表わす。フレーム・サイズは、サンプル・レートおよび符号化データ・レートとともに変わりうる。オーディオ・サンプルは、一つ、二つまたはそれ以上の（オーディオ）周波数帯域または周波数範囲においてスペクトル内容を表わす量子化されたオーディオ・データ要素（たとえば、入力PCMサンプル、QMFマトリクスにおける入力時間‐周波数サンプルなど）である。入力オーディオ・データ・フレームにおける量子化されたオーディオ・データ要素は、圧力波をデジタルの（量子化された）領域において表わしてもよい。量子化されたオーディオ・データ要素は、最大可能な値（たとえば、クリッピング・レベル、最大ラウドネス・レベルなど）以下のラウドネス・レベルの有限範囲をカバーしうる。
【００４２】
メタデータは、入力オーディオ・データ・フレームを処理するための幅広い多様な受領側デコーダによって使用されることができる。メタデータは、デコーダ（１００）によって実行されるべき一つまたは複数の動作に関係する多様な動作パラメータ、入力オーディオ・データ・フレームにおいて表わされているダイアログ・ラウドネス・レベルに関係する正規化パラメータなどを含んでいてもよい。ダイアログ・ラウドネス・レベルとは、プログラム（たとえば映画、テレビ番組、ラジオ放送など）全体、プログラムの一部、プログラムのダイアログなどにおける、ダイアログ・ラウドネス、プログラム・ラウドネス、平均ダイアログ・ラウドネスなどの（たとえば音響心理学的、知覚的などの）レベルを指しうる。
【００４３】
デコーダ（１００）またはそのモジュール（たとえばデータ抽出器１０４、ダイナミックレンジ・コントローラ１０６など）の一部または全部の動作および機能は、エンコードされた入力信号（１０２）から抽出されたメタデータに応答して適応されてもよい。たとえば、メタデータ――ダイナミックレンジ圧縮曲線、ダイアログ・ラウドネス・レベルなどを含むがそれに限定されない――がデコーダ（１００）によってデジタル領域の出力オーディオ・データ要素（たとえば出力PCMサンプル、QMFマトリクスにおける出力時間‐周波数サンプルなど）を生成するために使用されてもよい。次いで、出力データ要素は、特定の再生環境における再生中の指定されたラウドネスまたは参照再生レベルを達成するためにオーディオ・チャネルまたはスピーカーを駆動するために使われることができる。
【００４４】
いくつかの実施形態では、ダイナミックレンジ・コントローラ（１０６）は、入力オーディオ・データ・フレーム中のオーディオ・データ要素およびメタデータの一部または全部を受領し、少なくとも部分的にはエンコードされたオーディオ信号（１０２）から抽出されたメタデータに基づいて、入力オーディオ・データ・フレーム中のオーディオ・データ要素に対してオーディオ処理動作（たとえば、ダイナミックレンジ制御動作、利得平滑化動作、利得制限動作など）を実行するなどするよう構成される。
【００４５】
いくつかの実施形態では、ダイナミックレンジ・コントローラ（１０６）は、選択器１１０、ラウドネス計算器１１２、DRC利得ユニット１１４などを有していてもよい。選択器（１１０）は、デコーダ（１００）における特定の再生環境に関係するスピーカー構成（たとえば、フラットパネル・モード、スピーカーと一緒のポータブル装置、ヘッドフォンと一緒のポータブル装置、5.1スピーカー構成、7.1スピーカー構成など）を決定し、エンコードされた入力信号（１０２）から抽出された諸ダイナミックレンジ圧縮曲線から特定のダイナミックレンジ圧縮曲線を選択するなどするよう構成されていてもよい。
【００４６】
ラウドネス計算器（１１２）は、入力オーディオ・データ・フレーム中のオーディオ・データ要素によって表わされる一つまたは複数の型のラウドネス・レベルを計算するよう構成されていてもよい。ラウドネス・レベルの例示的な型は、これだけに限られるものではないが、個々の時間区間にわたる個々のチャネルにおける個々の周波数帯域にわたる個別ラウドネス・レベル、個々のチャネルにおける広い（または幅広い）周波数範囲にわたるブロードバンド（または広帯域）ラウドネス・レベル、あるオーディオ・データ・ブロックまたはフレームから決定されるまたはあるオーディオ・データ・ブロックまたはフレームにわたって平滑化されるラウドネス・レベル、二つ以上のオーディオ・データ・ブロックまたはフレームから決定されるまたは二つ以上のオーディオ・データ・ブロックまたはフレームにわたって平滑化されるラウドネス・レベル、一つまたは複数の時間区間にわたって平滑化されるラウドネス・レベルなどの任意のものを含む。これらのラウドネス・レベルの0個、一つまたは複数がデコーダ（１００）によってダイナミックレンジ制御のために変更されてもよい。
【００４７】
ラウドネス・レベルを決定するために、ラウドネス計算器（１１２）は、入力オーディオ・データ・フレーム中のオーディオ・データ要素によって表わされる、特定のオーディオ周波数における空間的圧力レベルなどのような一つまたは複数の時間依存の物理的音波属性を決定することができる。ラウドネス計算器（１１２）は、人間のラウドネス知覚をモデル化する一つまたは複数の音響心理学的関数に基づいて一つまたは複数の型のラウドネス・レベルを導出するために、前記一つまたは複数の時間変化する物理的波属性を使うことができる。音響心理学的関数は、特定のオーディオ周波数における特定の空間的圧力レベルを該特定のオーディオ周波数についての特定的ラウドネスに変換する非線形関数――人間の聴覚系のモデルに基づいて構築される――などであってもよい。
【００４８】
複数の（オーディオ周波数）または複数の周波数帯域にわたる（たとえばブロードバンド、広帯域などの）ラウドネス・レベルは、複数の（オーディオ）周波数または複数の周波数帯域にわたる特定的ラウドネス・レベルの積分を通じて導出されてもよい。一つまたは複数の時間区間（たとえば、オーディオ・データ・ブロックまたはフレーム中のオーディオ・データ要素によって表わされるよりも長いなど）にわたる時間平均、平滑化などされたラウドネス・レベルは、デコーダ（１００）におけるオーディオ処理動作の一部として実装される一つまたは複数の平滑化フィルタを使って得られてもよい。
【００４９】
ある例示的実施形態では、異なる周波数帯域についての諸特定的ラウドネス・レベルは、ある（たとえば256個などの）サンプルのオーディオ・データ・ブロック毎に計算されてもよい。諸特定的ラウドネス・レベルを積分してブロードバンド（広帯域）ラウドネス・レベルにすることにおいて諸特定的ラウドネス・レベルに周波数重み付け（たとえばIEC  B重み付けと同様のものなど）を適用するために前置フィルタが使われてもよい。二つ以上のチャネル（たとえば、左前方、右前方、中央、左サラウンド、右サラウンドなど）にわたる広いラウドネス・レベルの和が、該二つ以上のチャネルの全体的なラウドネス・レベルを提供するために実行されてもよい。
【００５０】
いくつかの実施形態では、全体的ラウドネス・レベルとは、あるスピーカー構成のあるチャネル（たとえば中央など）におけるブロードバンド（広帯域）ラウドネス・レベルを指してもよい。いくつかの実施形態では、全体的ラウドネス・レベルとは、複数のチャネルにおけるブロードバンド（または広帯域）ラウドネス・レベルを指してもよい。前記複数のチャネルは、あるスピーカー構成におけるすべてのチャネルであってもよい。追加的、任意的または代替的に、前記複数のチャネルは、あるスピーカー構成におけるチャネルの部分集合（たとえば、左前方、右前方および低域効果（LFE）を含むチャネルの部分集合、左サラウンドおよび右サラウンドを含むチャネルの部分集合、中央を含むチャネルの部分集合など）を含んでいてもよい。
【００５１】
（たとえばブロードバンド、広帯域、全体的、特定的などの）ラウドネス・レベルは、選択されたダイナミックレンジ圧縮曲線から対応する（たとえば静的な、平滑化前、制限前などの）DRC利得を見出すための入力として使われてもよい。DRC利得を見出すための入力として使われるラウドネス・レベルはまず、エンコードされたオーディオ信号（１０２）から抽出されたメタデータからのダイアログ・ラウドネス・レベルに関して調整または正規化されてもよい。いくつかの実施形態では、ダイアログ・ラウドネス・レベルの調整に関係する調整および正規化は、これに限られないが、非ラウドネス領域（たとえばSPL領域など）において、エンコードされたオーディオ信号（１０２）中のオーディオ・コンテンツの一部に対して、エンコードされたオーディオ信号（１０２）中のオーディオ・コンテンツの前記一部において表わされている特定の空間的圧力レベルがエンコードされたオーディオ信号（１０２）中のオーディオ・コンテンツの前記一部の特定的ラウドネス・レベルに変換またはマッピングされる前に、実行されてもよい。
【００５２】
いくつかの実施形態では、DRC利得ユニット（１１４）は、DRCアルゴリズムをもって構成され、（たとえばダイナミックレンジ制御のため、利得制限のため、利得平滑化のためなどの）利得を生成し、該利得を、入力オーディオ・データ・フレーム中のオーディオ・データ要素によって表わされる一つまたは複数の型のラウドネス・レベルにおける一つまたは複数のラウドネス・レベルに適用して、その特定の再生環境のための目標ラウドネス・レベルを達成するなどしてもよい。本稿に記載されるような利得（たとえばDRC利得など）の適用は、必須ではないが、ラウドネス領域で生起してもよい。いくつかの実施形態では、利得はラウドネス計算（これは、ソーンまたは単にたとえば変換なしのダイアログ・ラウドネス・レベルについて補償されたSPLで表わされてもよい）に基づいて生成され、平滑化され、入力信号に直接適用されてもよい。いくつかの実施形態では、本稿に記載されるような技法は、利得をラウドネス領域の信号に適用し、次いで該信号をラウドネス領域からもとの（線形）SPL領域に変換し、ラウドネス領域において該信号に該利得が適用された前および後の該信号を評価することによって、該信号に適用されるべき対応する利得を計算してもよい。すると、比（または対数dB表現で表わされるときは差）がその信号についての対応する利得を決定する。
【００５３】
いくつかの実施形態では、DRCアルゴリズムは複数のDRCパラメータと一緒に動作する。DRCパラメータは、上流のエンコーダ（たとえば１５０など）によってすでに計算されて、エンコードされたオーディオ信号（１０２）中に埋め込まれており、デコーダ（１００）によって、該エンコードされたオーディオ信号（１０２）中のメタデータから取得されることができるダイアログ・ラウドネス・レベルを含む。上流のエンコーダからのダイアログ・ラウドネス・レベルは、（たとえばプログラム毎の、フルスケール1kHz正弦波のエネルギーに対する、参照矩形波のエネルギーに対する、など）平均ダイアログ・ラウドネス・レベルを示す。いくつかの実施形態では、エンコードされたオーディオ信号（１０２）から抽出されたダイアログ・ラウドネス・レベルは、プログラム間でのラウドネス・レベルの相違を減らすために使用されてもよい。ある実施形態では、参照ダイアログ・ラウドネス・レベルは、デコーダ（１００）における同じ特定の再生環境における異なるプログラムの間で同じ値に設定されてもよい。プログラムの複数のオーディオ・データ・ブロックにわたって平均された出力ダイアログ・ラウドネス・レベルがそのプログラムについての（たとえば事前構成設定された、システム・デフォルトの、ユーザー構成設定可能な、プロファイル依存などの）参照ダイアログ・ラウドネス・レベルまで上げられる／下げられるよう、メタデータからのダイアログ・ラウドネス・レベルに基づいて、DRC利得ユニット（１１４）は、ダイアログ・ラウドネス関係利得を、プログラム中の各オーディオ・データ・ブロックに適用することができる。
【００５４】
いくつかの実施形態では、DRC利得は、選択されたダイナミックレンジ圧縮曲線に従ってソフトおよび／またはラウドな音における諸信号部分をブーストまたはカットすることによって、プログラム内のラウドネス・レベルの相違に対処するために使用されてもよい。これらのDRC利得の一つまたは複数は、対応するオーディオ・データ・ブロック、オーディオ・データ・フレームなどの一つまたは複数から決定される選択されたダイナミックレンジ圧縮曲線および（ブロードバンド、広帯域、全体的、特定的などの）ラウドネス・レベルに基づいてDRCアルゴリズムによって計算／決定されてもよい。
【００５５】
選択されたダイナミックレンジ圧縮曲線を検索することによって（たとえば静的な、平滑化前の、利得制限前の、などの）DRC利得を決定するために使われるラウドネス・レベルは、短い区間（たとえば約5.3ミリ秒など）上で計算されてもよい。人間の聴覚系の積分時間（たとえば約200ミリ秒など）はずっと長いことがありうる。選択されたダイナミックレンジ圧縮曲線から得られるDRC利得は、人間の聴覚系の長い積分時間を考慮に入れるため、ある時定数をもって平滑化されてもよい。ラウドネス・レベルにおける変化（増大または減少）の速いレートを実施するためには、短い時定数に対応する短い時間区間においてラウドネス・レベルの変化を引き起こすよう、短い時定数が使われてもよい。逆に、ラウドネス・レベルにおける変化（増大または減少）の遅いレートを実施するためには、長い時定数に対応する長い時間区間においてラウドネス・レベルを変化させるよう、長い時定数が使われてもよい。
【００５６】
人間の聴覚系は、増大するラウドネス・レベルと減少するラウドネス・レベルに異なる積分時間をもって反応することがある。いくつかの実施形態では、選択されたダイナミックレンジ圧縮曲線から検索される静的なDRC利得を平滑化するために、ラウドネス・レベルが増大しているのか減少しているのかに依存して異なる時定数が使われてもよい。たとえば、人間の聴覚系の特性に相応して、アタック（ラウドネス・レベルの増大）は相対的に短い時定数（たとえばアタック時間など）をもって平滑化され、一方、リリース（ラウドネス・レベルの減少）は相対的に長い時定数（たとえばリリース時間など）をもって平滑化される。
【００５７】
オーディオ・コンテンツの一部（たとえば、オーディオ・データ・ブロック、オーディオ・データ・フレームなどの一つまたは複数）についてのDRC利得は、オーディオ・コンテンツの前記一部から決定されるラウドネス・レベルを使って計算されてもよい。選択されたダイナミックレンジ圧縮曲線における検索のために使われるべきラウドネス・レベルは、まず、エンコードされたオーディオ信号（１０２）から抽出されたメタデータにおける（たとえばそのオーディオ・コンテンツが一部をなすプログラムなどの）ダイアログ・ラウドネス・レベルに関して（たとえばそれとの関係で、など）調整されてもよい。
【００５８】
参照ダイアログ・ラウドネス・レベル（たとえば、「ライン」モードでは−31dBFS、「RF」モードでは−20dBFSなど）は、デコーダ（１００）における特定の再生環境のために指定または確立されてもよい。追加的、代替的または任意的に、いくつかの実施形態では、ユーザーは、デコーダ（１００）における参照ダイアログ・ラウドネス・レベルを設定または変更することに対して制御を与えられてもよい。
【００５９】
DRC利得ユニット（１１４）は、入力ダイアログ・ラウドネス・レベルから、出力ダイアログ・ラウドネス・レベルとしての参照ダイアログ・ラウドネス・レベルへの変化を引き起こすよう、オーディオ・コンテンツに対するダイアログ・ラウドネス関係利得を決定するよう構成されることができる。
【００６０】
いくつかの実施形態では、DRC利得ユニット（１１４）は、デコーダ（１００）における特定の再生環境におけるピーク・レベルを扱うよう構成されていてもよく、クリッピングを防止するようDRC利得を調整する。いくつかの実施形態では、第一のアプローチのもとでは、エンコードされたオーディオ信号（１０２）から抽出されたオーディオ・コンテンツが、デコーダにおける特定のスピーカー構成のチャネルより多くのチャネルをもつ参照マルチチャネル構成のためのオーディオ・データ要素を含む場合には、クリッピング防止のためにピーク・レベルを判別して処理する前に、参照マルチチャネル構成から特定のスピーカー構成ダウンミックスが実行されてもよい。追加的、任意的または代替的に、いくつかの実施形態では、第二のアプローチのもとでは、エンコードされたオーディオ信号（１０２）から抽出されたオーディオ・コンテンツが、デコーダにおける特定のスピーカー構成のチャネルより多くのチャネルをもつ参照マルチチャネル構成のためのオーディオ・データ要素を含む場合には、デコーダ（１００）における特定のスピーカー構成のためのピーク・レベルを得るために、ダウンミックスの式（たとえば、ITUステレオ・ダウンミックス、行列処理されるサラウンド互換ダウンミックス（matrixed-surround  compatible  downmix）など）が使われてもよい。ピーク・レベルは、入力ダイアログ・ラウドネス・レベルから、出力ダイアログ・ラウドネス・レベルとしての参照ダイアログ・ラウドネス・レベルへの変化を反映するよう調整されてもよい。（たとえばあるオーディオ・データ・ブロックについての、あるオーディオ・データ・フレームについての、などの）クリッピングを引き起こさない最大許容される利得が、少なくとも部分的にはピーク・レベルの逆数（たとえば−1を乗算されるなどする）に基づいて決定されてもよい。このように、本稿に記載される技法のもとのオーディオ・デコーダは、正確にピーク・レベルを決定し、デコーダ側の再生構成のために特にクリッピング防止を適用するよう構成されることができる。オーディオ・デコーダもオーディオ・エンコーダも、仮定のデコーダにおける最悪ケースのシナリオについての仮定の想定をする必要はない。特に、上記の第一のアプローチにおけるデコーダは、ダウンミックスの式、ダウンミックス・チャネル利得など（これは上記のように第二のアプローチのもとでは使われる）を使うことなく、正確にピーク・レベルを決定し、ダウンミックス後のクリッピング防止を適用することができる。
【００６１】
いくつかの実装では、ダイアログ・ラウドネス・レベルおよびDRC利得への調整の組み合わせが、たとえ最悪ケースのダウンミックス（たとえば、ダウンミックス後の最大ピーク・レベルを生成するもの、最大のダウンミックス・チャネル利得を生成するものなど）においてでも、ピーク・レベルのクリッピングを防止する。しかしながら、他のいくつかの実施形態では、ダイアログ・ラウドネス・レベルおよびDRC利得への調整の組み合わせでも、ピーク・レベルのクリッピングを防止するのに十分ではないことがある。これらの実施形態では、DRC利得は、ピーク・レベルにおけるクリッピングを防止する最高の利得によって置換されてもよい（たとえばキャップされてもよい、など）。
【００６２】
いくつかの実施形態では、DRC利得ユニット（１１４）は、エンコードされたオーディオ信号（１０２）から抽出されたメタデータから時定数（たとえばアタック時間、リリース時間など）を得るよう構成される。DRC利得、時定数、最大許容利得などは、DRC、利得平滑化、利得制限などを実行するために、DRC利得ユニット（１１４）によって使用されてもよい。
【００６３】
たとえば、DRC利得の適用は、ある時定数によって制御されるフィルタをもって平滑化されてもよい。利得制限動作は、適用されるべき利得と最大許容利得との小さなほうを該利得について取るmin()関数によって実装されてもよい。この関数を通じて、（たとえば制限前の、DRCなどの）利得はすぐに、比較的短い時間区間にわたって、などで、最大許容利得によって置換されてもよい。それによりクリッピングが防止される。
【００６４】
いくつかの実施形態では、オーディオ・レンダラー（１０８）は、DRC、利得制限、利得平滑化などに基づいて決定された利得をエンコードされたオーディオ信号（１０２）から抽出された入力オーディオ・データに適用した後、その特定のスピーカー構成についての（たとえばマルチチャネルなどの）チャネル固有のオーディオ・データ（１１６）を生成するよう構成される。チャネル固有のオーディオ・データ（１１８）は、当該スピーカー構成において表わされているスピーカー、ヘッドフォンなどを駆動するために使われてもよい。
【００６５】
追加的および／または任意的に、いくつかの実施形態では、デコーダ（１００）は、入力オーディオ・データに関係する前処理、後処理、レンダリングなどに関係する、一つまたは複数の他の動作を実行するよう構成されることができる。
【００６６】
本稿に記載される技法は、多様な異なるサラウンドサウンド構成に対応する多様なスピーカー構成（たとえば、2.0、3.0、4.0、4.1、4.1、5.1、6.1、7.1、7.2、10.2、10-60スピーカー構成、60+スピーカー構成、オブジェクト信号または諸オブジェクト信号の組み合わせなど）および多様な異なるレンダリング環境構成（たとえば、映画館、公園、歌劇場、コンサートホール、バー、家庭、講堂など）と一緒に使用されることができる。
【００６７】
〈４．オーディオ・エンコーダ〉
図１Ｂは例示的なエンコーダ１５０を示している。エンコーダ（１５０）は、オーディオ・コンテンツ・インターフェース１５２、ダイアログ・ラウドネス解析器１５４、DRC参照貯蔵部１５６、オーディオ信号エンコーダ１５８などを有していてもよい。エンコーダ１５０は、放送システム、インターネット・ベースのコンテンツ・サーバー、無線経由（over-the-air）ネットワーク事業者システム、映画制作システムなどの一部であってもよい。
【００６８】
いくつかの実施形態では、オーディオ・コンテンツ・インターフェース（１５２）は、オーディオ・コンテンツ１６０、オーディオ・コンテンツ制御入力１６２などを受領し、少なくとも部分的にはオーディオ・コンテンツ（１６０）、オーディオ・コンテンツ制御入力（１６２）の一部または全部に基づいて、エンコードされたオーディオ信号（たとえば１０２）を生成するなどするよう構成されている。たとえば、オーディオ・コンテンツ・インターフェース（１５２）は、オーディオ・コンテンツ（１６０）、オーディオ・コンテンツ制御入力（１６２）をコンテンツ・クリエーター、コンテンツ・プロバイダーなどから受領するために使われてもよい。
【００６９】
オーディオ・コンテンツは、オーディオのみ、オーディオビジュアルなどを含む全体的なメディア・データの一部または全部をなしてもよい。オーディオ・コンテンツ（１６０）は、プログラムの諸部分、プログラム、いくつかのプログラム、一つまたは複数のコマーシャルなどのうちの一つまたは複数を含んでいてもよい。
【００７０】
いくつかの実施形態では、ダイアログ・ラウドネス解析器（１５４）は、オーディオ・コンテンツ（１５２）の一つまたは複数の部分（たとえば一つまたは複数のプログラム、一つまたは複数のコマーシャルなど）の一つまたは複数のダイアログ・ラウドネス・レベルを決定／確立するよう構成されている。いくつかの実施形態では、オーディオ・コンテンツは、オーディオ・トラックの一つまたは複数の集合によって表わされる。いくつかの実施形態では、オーディオ・コンテンツのダイアログ・オーディオ・コンテンツは、別個のオーディオ・トラックにある。いくつかの実施形態では、オーディオ・コンテンツの少なくとも一部は、非ダイアログ・オーディオ・コンテンツを含むオーディオ・トラックにある。
【００７１】
オーディオ・コンテンツ制御入力（１６２）は、ユーザー制御入力、エンコーダ（１５０）にとって外部のシステム／装置によって提供される制御入力、コンテンツ・クリエーターからの制御入力、コンテンツ・プロバイダーからの制御入力などの一部または全部を含んでいてもよい。たとえば、ミキシング・エンジニアなどのようなユーザーが、一つまたは複数のダイナミックレンジ圧縮曲線識別子を提供／指定することができる。それらの識別子は、DRC参照貯蔵部（１５６）などのようなデータ貯蔵部からオーディオ・コンテンツ（１６０）に最もよく当てはまる一つまたは複数のダイナミックレンジ圧縮曲線を取り出すために使われてもよい。
【００７２】
いくつかの実施形態では、DRC参照貯蔵部（１５６）は、DRC参照パラメータ集合などを記憶するよう構成されている。それらのDRC参照パラメータ集合は、一つまたは複数のダイナミックレンジ圧縮曲線などについての定義データを含んでいてもよい。いくつかの実施形態では、エンコーダ（１５０）は、（たとえば同時並行などで）二つ以上のダイナミックレンジ圧縮曲線をエンコードされたオーディオ信号（１０２）中にエンコードしてもよい。それらのダイナミックレンジ圧縮曲線のうちの0個、一つまたは複数は標準ベースのもの、独自のもの、カスタマイズされたもの、デコーダで修正可能なものなどであってもよい。ある例示的実施形態では、図２Ａおよび図２Ｂのダイナミックレンジ圧縮曲線両方が、エンコードされたオーディオ信号（１０２）中に（たとえば同時並行などで）エンコードされることができる。
【００７３】
いくつかの実施形態では、オーディオ信号エンコーダ（１５８）は、オーディオ・コンテンツ・インターフェース（１５２）からのオーディオ・コンテンツ、ダイアログ・ラウドネス解析器（１５４）からのダイアログ・ラウドネス・レベルなどを受領し、DRC参照貯蔵部（１５６）から一つまたは複数のDRC参照パラメータ集合を取り出し、オーディオ・コンテンツをオーディオ・データ・ブロック／フレームにフォーマットし、ダイアログ・ラウドネス・レベル、DRC参照パラメータ集合などをメタデータ（たとえば、メタデータ・コンテナ、メタデータ・フィールド、メタデータ構造など）にフォーマットし、オーディオ・データ・ブロック／フレームおよびメタデータを、エンコードされたオーディオ信号（１０２）にエンコードするなどするよう構成されることができる。
【００７４】
本稿に記載されるようにエンコードされたオーディオ信号中にエンコードされるべきオーディオ・コンテンツは、無線で、有線接続を介して、ファイルを通じて、インターネット・ダウンロードを介してなどの多様な方法の一つまたは複数で多様な源オーディオ・フォーマットの一つまたは複数において受領されうる。
【００７５】
本稿に記載されるエンコードされたオーディオ信号は、（たとえばオーディオ放送、オーディオ・プログラム、オーディオビジュアル・プログラム、オーディオビジュアル放送などのための）全体的なメディア・データ・ビットストリームの一部であることができる。メディア・データ・ビットストリームは、サーバー、コンピュータ、メディア記憶装置、メディア・データベース、メディア・ファイルなどからアクセスされることができる。メディア・データ・ビットストリームは、一つまたは複数の無線または有線のネットワーク・リンクを通じて放送、送信または受信されてもよい。メディア・データ・ビットストリームは、ネットワーク接続、USB接続、広域ネットワーク、ローカル・エリア・ネットワーク、無線接続、光学式接続、バス、クロスバー接続、シリアル接続などの一つまたは複数のような媒介部を通じて通信されてもよい。
【００７６】
（たとえば図１Ａ、図１Ｂなどに）描かれているコンポーネントの任意のものは、ハードウェア、ソフトウェアまたはハードウェアとソフトウェアの組み合わせにおいて、一つまたは複数のプロセスおよび／または一つまたは複数のIC回路（たとえばASIC、FPGAなど）として実装されてもよい。
【００７７】
〈５．ダイナミックレンジ圧縮曲線〉
図２Ａおよび図２Ｂは、入力ラウドネス・レベルからDRC利得を導出するためにデコーダ（１００）中のDRC利得ユニット（１０４）によって使用されることのできる例示的なダイナミックレンジ圧縮曲線を示している。図のように、ダイナミックレンジ圧縮曲線は、特定の再生環境のために適切な全体的な利得を提供するために、プログラムにおける参照ラウドネス・レベルを中心としていてもよい。ダイナミックレンジ圧縮曲線の例示的な定義データ（たとえば、エンコードされたオーディオ信号１０２のメタデータ内など）（たとえば、これだけに限られないが、ブースト比、カット比、アタック時間、リリース時間などを含む）が下記の表に示される。ここで、複数のプロファイル（たとえば、フィルム・スタンダード（film  standard）、フィルム・ライト（film  light）、音楽スタンダード（music  standard）、音楽ライト（music  light）、発話（speech）など）における各プロファイルは、（たとえばデコーダ１００などにおける）特定の再生環境を表わす。
【００７８】
【表１】
2020039181.tif 000003
いくつかの実施形態は、dBSPLまたはdBFSで表わされたラウドネス・レベルおよびdBSPLに関するdBで表わされた利得を用いて記述される一つまたは複数の圧縮曲線を受領してもよい。一方、DRC利得は、dBSPLラウドネス・レベルと非線形関係をもつ異なるラウドネス表現（たとえばソーン）で実行される。その際、DRC利得計算において使われる圧縮曲線は、該異なるラウドネス表現（たとえばソーン）を用いて記述されるよう変換されてもよい。
【００７９】
〈６．DRC利得、利得制限および利得平滑化〉
図３は、組み合わされたDRCおよび制限利得の決定／計算の例示的な処理論理を示す。処理論理は、デコーダ（１００）、エンコーダ（１５０）などによって実装されてもよい。単に例解のため、デコーダ（たとえば１００など）におけるDRC利得ユニット（たとえば１１４）が該処理論理を実装するために使われてもよい。
【００８０】
オーディオ・コンテンツの一部（たとえば、オーディオ・データ・ブロック、オーディオ・データ・フレームの一つまたは複数など）についてのDRC利得は、オーディオ・コンテンツの該一部から決定されたラウドネス・レベルを使って計算されてもよい。ラウドネス・レベルはまず、エンコードされたオーディオ信号（１０２）から抽出されたメタデータにおける（たとえばそのオーディオ・コンテンツが一部となるプログラムなどの）ダイアログ・ラウドネス・レベルに関して（たとえば、それとの関係で、など）調整されてもよい。図３に示した例では、オーディオ・コンテンツの前記一部のラウドネス・レベルと前記ダイアログ・ラウドネス・レベル（「dialnorm」）との間の差が、選択されたダイナミックレンジ圧縮曲線からDRC利得を見出すための入力として使用されてもよい。
【００８１】
その特定の再生環境における出力オーディオ・データ要素のクリッピングを防止するために、DRC利得ユニット（１１４）は、（たとえばエンコードされたオーディオ信号１０２およびデコーダ１００における再生環境の特定の組み合わせに固有の、などの）特定の再生シナリオにおけるピーク・レベルを扱うよう構成されていてもよい。該再生シナリオは、多様な可能な再生シナリオ（たとえばマルチチャネル・シナリオ、ダウンミックス・シナリオなど）のうちの一つであってもよい。
【００８２】
いくつかの実施形態では、特定の時間分解能でのオーディオ・コンテンツの個々の部分（たとえば、オーディオ・データ・ブロック、いくつかのオーディオ・データ・ブロック、オーディオ・データ・フレームなど）についての個々のピーク・レベルが、エンコードされたオーディオ信号（１０２）から抽出されたメタデータの一部として提供されてもよい。
【００８３】
いくつかの実施形態では、DRC利得ユニット（１１４）は、これらのシナリオにおけるピーク・レベルを判別するよう構成されていることができ、必要ならDRC利得を調整する。DRC利得の計算の間、オーディオ・コンテンツのピーク・レベルを決定するために、DRC利得ユニット（１１４）によって並列プロセスが使用されてもよい。たとえば、オーディオ・コンテンツは、デコーダ（１００）によって使用される特定のスピーカー構成のチャネルより多くのチャネルをもつ参照マルチチャネル構成のためにエンコードされてもよい。参照マルチチャネル構成の該より多くのチャネルのためのオーディオ・コンテンツは、ダウンミックスされたオーディオ・データ（たとえば、ITUステレオ・ダウンミックス、行列処理されるサラウンド互換ダウンミックス（matrixed-surround  compatible  downmix）など）に変換されて、デコーダ（１００）における特定のスピーカー構成のためのより少ないチャネルを導出してもよい。いくつかの実施形態では、第一のアプローチのもとでは、参照マルチチャネル構成から特定のスピーカー構成へのダウンミックスは、クリッピング防止のためにピーク・レベルを判別して処理する前に実行されてもよい。追加的、任意的または代替的に、いくつかの実施形態では、第二のアプローチのもとでは、オーディオ・コンテンツをダウンミックスすることに関係するダウンミックス・チャネル利得が、その特定のスピーカー構成のためのピーク・レベルを調整、導出、計算などするための入力の一部として使われてもよい。ある例示的実施形態では、ダウンミックス・チャネル利得は、参照マルチチャネル構成からデコーダ（１００）における再生環境における特定のスピーカー構成へのダウンミックス動作を実行するために使われる一つまたは複数のダウンミックスの式に少なくとも部分的には基づいて導出されてもよい。
【００８４】
いくつかのメディア・アプリケーションでは、参照ダイアログ・ラウドネス・レベル（たとえば、「ライン」モードでは−31dBFS、「RF」モードでは−20dBFSなど）は、デコーダ（１００）における特定の再生環境のために指定または想定されてもよい。いくつかの実施形態では、ユーザーは、デコーダ（１００）における参照ダイアログ・ラウドネス・レベルを設定または変更することに対して制御を与えられてもよい。
【００８５】
（たとえば出力の）ダイアログ・ラウドネス・レベルを参照ダイアログ・ラウドネス・レベルに調整するために、ダイアログ・ラウドネス関係利得がオーディオ・コンテンツに適用されてもよい。この調整を反映するために、ピーク・レベルはしかるべく調整されるべきである。一例では、（入力）ダイアログ・ラウドネス・レベルは−23dBFSであってもよい。参照ダイアログ・ラウドネス・レベルが−31dBFSの「ライン」モードでは、参照ダイアログ・ラウドネス・レベルの出力ダイアログ・ラウドネス・レベルを生じるために、（入力）ダイアログ・ラウドネス・レベルへの調整は−8dBである。この「ライン」モードでは、ピーク・レベルへの調整も−8dBであり、ダイアログ・ラウドネス・レベルへの調整と同じである。参照ダイアログ・ラウドネス・レベルが−20dBFSの「RF」モードでは、参照ダイアログ・ラウドネス・レベルの出力ダイアログ・ラウドネス・レベルを生じるために、（入力）ダイアログ・ラウドネス・レベルへの調整は3dBである。この「RF」モードでは、ピーク・レベルへの調整も3dBであり、ダイアログ・ラウドネス・レベルへの調整と同じである。
【００８６】
ピーク・レベルと、参照ダイアログ・ラウドネス・レベル（「dialref」と記される）とエンコードされたオーディオ信号（１０２）からのメタデータ内のダイアログ・ラウドネス・レベル（「dialnorm」）との間の差の和が、DRC利得についての最大（たとえば許容されるなど）利得を計算するための入力として使われてもよい。調整されたピーク・レベルは（0dBFSのクリッピング・レベルに対して）dBFSで表わされるので、（たとえば、現在のオーディオ・データ・ブロックについての、現在のオーディオ・データ・フレームについての、などの）クリッピングを起こさない最大許容利得は、単に調整されたピーク・レベルの逆数である（たとえば、−1を乗算されるなど）。
【００８７】
いくつかの実施形態では、たとえDRC利得が導出されるもとになったダイナミックレンジ圧縮曲線がラウドな音をある程度カットするよう設計されていたとしても、ピーク・レベルはクリッピング・レベル（0dBFSで表わされる）を超えることがある。いくつかの実施形態では、ダイアログ・ラウドネス・レベルとDRC利得への調整の組み合わせは、たとえ最悪ケースのダウンミックス（たとえば、最大のダウンミックス・チャネル利得を生成するものなど）においてでも、ピーク・レベルのクリッピングを防止する。しかしながら、他のいくつかの実施形態では、ダイアログ・ラウドネス・レベルおよびDRC利得への調整の組み合わせでも、ピーク・レベルのクリッピングを防止するのに十分ではないことがある。これらの実施形態では、DRC利得は、ピーク・レベルにおけるクリッピングを防止する最高の利得によって置換されてもよい（たとえばキャップされてもよい、など）。
【００８８】
いくつかの実施形態では、DRC利得ユニット（１１４）は、エンコードされたオーディオ信号（１０２）から抽出されたメタデータから時定数（たとえばアタック時間、リリース時間など）を得るよう構成される。これらの時定数は、オーディオ・コンテンツのダイアログ・ラウドネス・レベルまたは現在のラウドネス・レベルのうちの一つまたは複数とともに変わっても変わらなくてもよい。ダイナミックレンジ圧縮曲線から検索されるDRC利得、時定数、最大利得は、利得平滑化および制限動作を実行するために使用されてもよい。
【００８９】
いくつかの実施形態では、可能性としては利得制限されていてもよいDRC利得は、特定の再生環境における最大ピーク・ラウドネス・レベルを超えない。ラウドネス・レベルから導出される静的なDRC利得は、時定数によって制御されるフィルタをもって平滑化されてもよい。制限動作は、一つまたは複数のmin()関数によって実装されてもよい。この関数を通じて、（たとえば制限前の）DRC利得はすぐに、比較的短い時間区間にわたって、などで、最大許容利得によって置換されてもよい。それによりクリッピングが防止される。DRCアルゴリズムは、はいってくるオーディオ・コンテンツのピーク・レベルがクリッピング・レベル超からクリッピング・レベル未満に移行するにつれ、前記クリッピング利得からより低い利得へとなめらかにリリースするよう構成されていてもよい。
【００９０】
図３に示されるDRC利得の決定／計算／適用を実行するために、一つまたは複数の異なる（たとえばリアルタイム、2パスなどの）実装が使用されてもよい。単に例解のため、ダイアログ・ラウドネス・レベル、（たとえば静的などの）DRC利得、平滑化に起因する時間依存する利得変動、制限に起因する利得クリッピングなどへの調整は、上記のDRCアルゴリズムからの組み合わされた利得として記述されてきた。しかしながら、さまざまな実施形態において、（たとえば異なるプログラムの間などの）ダイアログ・ラウドネス・レベルの制御のため、（たとえば同じプログラムの異なる部分のためなどの）ダイナミックレンジ制御のため、クリッピングを防止するため、利得平滑化のためなどでオーディオ・コンテンツに利得を適用する他のアプローチが使用されてもよい。たとえば、ダイアログ・ラウドネス・レベル、（たとえば静的などの）DRC利得、平滑化に起因する時間依存する利得変動、制限に起因する利得クリッピングなどへの調整の一部または全部は、部分的／個々に適用される、直列的に適用される、並列に適用される、部分的には直列に部分的には並列に適用されるなどすることができる。
【００９１】
〈７．入力平滑化および利得平滑化〉
DRC利得平滑化に加えて、さまざまな実施形態において、本稿に記載される技法のもとでの他の平滑化プロセスが実装されてもよい。一例では、入力平滑化が使われてもよく、エンコードされたオーディオ信号（１０２）から抽出された入力オーディオ・データをたとえば単純な単極平滑化フィルタを用いて平滑化して、入力平滑化なしの特定的ラウドネス・レベルのスペクトルよりよい時間的特性をもつ（たとえば、時間的によりなめらかである、時間的にスパイクがより少ない、など）特定的ラウドネス・レベルのスペクトルを得てもよい。
【００９２】
いくつかの実施形態では、本稿に記載される異なる平滑化プロセスは異なる時定数（たとえば1秒、4秒など）を使うことができる。いくつかの実施形態では、二つ以上の平滑化プロセスは同じ時定数を使うことができる。いくつかの実施形態では、本稿に記載される平滑化プロセスにおいて使われる時定数は周波数依存であってもよい。いくつかの実施形態では、本稿に記載される平滑化プロセスで使われる時定数は周波数独立であってもよい。
【００９３】
一つまたは複数の平滑化プロセスは、該一つまたは複数の平滑化プロセスの自動的または手動のリセットをサポートするリセット・プロセスに接続されてもよい。いくつかの実施形態では、リセット・プロセスにおいてリセットが生起するとき、平滑化プロセスは、より小さな時定数に切り換えるまたは移行することによって平滑化動作を速くしてもよい。いくつかの実施形態では、リセット・プロセスにおいてリセットが生起するとき、平滑化プロセスのメモリはある値にリセットされてもよい。この値は、平滑化プロセスへの最後の入力サンプルであってもよい。
【００９４】
〈８．複数周波数帯域にわたるDRC〉
いくつかの実施形態では、特定的な諸周波数帯域における特定的な諸ラウドネス・レベルが、それらの特定の周波数帯域における対応するDRC利得を導出するために使われることができる。しかしながら、これは、音色の変化につながることがある。それらの特定的ラウドネス・レベルは異なる帯域において著しく変わることがあり、よって、たとえ全周波数帯域にわたるブロードバンド（または広帯域）ラウドネス・レベルが一定のままであるときでも、異なるDRC利得を被ることがあるからである。
【００９５】
いくつかの実施形態では、個々の周波数帯域とともに変わるDRC利得を適用するのではなく、周波数帯域とともには変わらないが時間とともに変わるDRC利得が代わりに適用される。同じ時間変化するDRC利得が、周波数帯域すべてにわたって適用される。時間変化するDRC利得の時間平均されたDRC利得は、ブロードバンド（または広帯域）範囲または複数の周波数帯域にわたるブロードバンド、広帯域および／または全体的なラウドネス・レベルに基づいて前記選択されたダイナミックレンジ圧縮曲線から導出される静的なDRC利得と同じに設定されてもよい。結果として、他のアプローチにおいて異なる周波数帯域において異なるDRC利得を適用することによって引き起こされうる音色効果への変化を防ぐことができる。
【００９６】
いくつかの実施形態では、個々の周波数帯域におけるDRC利得は、ブロードバンド（または広帯域）ラウドネス・レベルに基づいて決定されるブロードバンド（または広帯域）DRC利得を用いて制御される。個々の周波数帯域におけるDRC利得は、ブロードバンド（または広帯域）ラウドネス・レベルに基づいてダイナミックレンジ圧縮曲線において見出されるブロードバンド（または広帯域）DRCのまわりで動作してもよい。よって、ある時間区間（たとえば、5.3ミリ秒、20ミリ秒、50ミリ秒、80ミリ秒、100ミリ秒などより長い）にわたって時間平均された個々の周波数帯域におけるDRC利得は、ダイナミックレンジ圧縮曲線において示されるブロードバンド（広帯域）レベルと同じである。いくつかの実施形態では、時間平均されたDRC利得から逸脱する、前記ある時間区間に対する短い時間区間にわたるラウドネス・レベル揺動は、諸チャネルおよび／または諸周波数帯域の間で、許容可能である。このアプローチは、ダイナミックレンジ圧縮曲線において示される正しいマルチチャネルおよび／またはマルチ帯域の時間平均されたDRC利得の適用を保証し、短い時間区間におけるDRC利得が、ダイナミックレンジ圧縮曲線において示されるそのような時間平均されたDRC利得からあまりに大きく逸脱することを防止する。
【００９７】
〈９．ラウドネス領域でのボリューム調整〉
本稿に記載される技法を実装しない他のアプローチのもとでのオーディオ励起信号にボリューム調整のための線形処理を適用することは、低い可聴信号レベルを聞こえなくすることがありうる（たとえば、人間の聴覚系の周波数依存の聴覚閾値を下回るなど）。
【００９８】
本稿に記載される技法のもとでは、オーディオ・コンテンツのボリューム調整は、物理領域（たとえばdBSPL表現などをもつ）ではなくラウドネス領域（たとえばソーン表現などをもつ）でなされるまたは実装されることができる。いくつかの実施形態では、すべてのボリューム・レベルにおいてすべての帯域の間でラウドネス・レベル関係の知覚的品質および／または無欠性（integrity）を維持するために、すべての帯域のラウドネス・レベルがラウドネス領域において同じ因子をもってスケーリングされる。本稿に記載される、ラウドネス領域で利得を設定および調整することに基づくボリューム調整は、異なる周波数帯域におけるオーディオ励起信号に異なるスケーリング因子を適用する物理領域における（または物理領域を表わすデジタル領域における）非線形処理に変換し戻され、該非線形処理を通じて実装されてもよい。本稿に記載される技法のもとでのラウドネス領域におけるボリューム調整から変換された物理領域における非線形処理は、オーディオ・コンテンツにおける低い可聴レベルの大半または全部が聞こえなくなることを防ぐDRC利得をもって、オーディオ・コンテンツのラウドネス・レベルを減衰させるまたは向上させる。いくつかの実施形態では、プログラム内でのラウドな音とソフトな音の間のラウドネス・レベルの差が、低い可聴信号レベルを人間の聴覚系の聴覚閾値より上に維持するこれらのDRC利得を用いて、低減される――だが知覚的になくされはしない。いくつかの実施形態では、大きな範囲のボリューム・レベルにわたってスペクトル知覚および知覚される音色などの類似性を維持するために、低いボリューム・レベルにおいて、聴覚の閾値に近い励起信号レベルをもつ周波数または周波数帯域は、より少なく減衰させられ、よって、知覚的に可聴である。
【００９９】
本稿に記載される技法は、物理領域（または物理領域を表わすデジタル領域）における信号レベル、利得などと、ラウドネス領域におけるラウドネス・レベル、利得などとの間の変換（たとえば行ったり来たりの変換など）を実装してもよい。これらの変換は、人間の聴覚系のモデルに基づいて構築された一つまたは複数の非線形関数（たとえば、マッピング、曲線、区分線形セグメント、ルックアップテーブルなど）の順変換および逆変換バージョンに基づいていてもよい。
【０１００】
〈１０．差分利得による利得プロファイル〉
いくつかの実施形態では、本稿に記載されるオーディオ・エンコーダ（たとえば１５０など）は、下流のオーディオ・デコーダにプロファイル関係メタデータを提供するよう構成される。たとえば、プロファイル関係メタデータは、オーディオ・コンテンツと一緒にオーディオ関係メタデータの一部として、エンコードされたオーディオ信号中で担持されてもよい。
【０１０１】
本稿に記載されるプロファイル関係メタデータは、複数の利得プロファイルについての定義データを含むがそれに限定されるものではない。前記複数の利得プロファイルにおける一つまたは複数の第一の利得プロファイル（一つまたは複数のデフォルト利得プロファイルと記される）は、一つまたは複数の対応するDRC曲線（一つまたは複数のデフォルトDRC曲線と記される）によって表わされる。その定義データは、プロファイル関係メタデータに含まれる。前記複数の利得プロファイルにおける一つまたは複数の第二の利得プロファイル（一つまたは複数の非デフォルト利得プロファイルと記される）は、前記一つまたは複数のデフォルトDRC曲線に関する差分利得の一つまたは複数の対応する集合によって表わされる。その定義データは、プロファイル関係メタデータに含まれる。より具体的には、（たとえば、プロファイル関係メタデータ中などの）デフォルトDRC曲線は、デフォルト利得プロファイルを表わすために使用でき、デフォルト利得プロファイルに関する（たとえば、プロファイル関係メタデータ中などの）差分利得の集合は、非デフォルト利得プロファイルを表わすために使用されることができる。
【０１０２】
いくつかの実施形態では、デフォルト利得プロファイルを表わすデフォルトDRC曲線との関係で非デフォルト利得プロファイルを表わす差分利得の集合は、前記非デフォルト利得プロファイルのために生成された非差分の（たとえば非デフォルトなど）利得の集合と、前記デフォルト利得プロファイルのために生成された非差分の（たとえばデフォルトなど）利得の集合との間の利得差（または利得調整）を含む。非差分利得の例は、これだけに限られないが、ヌル利得、DRC利得または減衰、ダイアログ正規化に関する利得または減衰、利得制限に関する利得または減衰、利得平滑化に関する利得または減衰などを含む。本稿に記載される利得（たとえば非差分利得、差分利得など）は、時間依存であってもよく、時間とともに変化する値を有していてもよい。
【０１０３】
利得プロファイル（たとえば、デフォルト利得プロファイル、非デフォルト利得プロファイルなど）についての非差分利得の集合を生成するために、本稿に記載されるオーディオ・エンコーダは、利得プロファイルに固有の一組の利得生成動作を実行してもよい。該一組の利得生成動作は、DRC動作、利得制限動作、利得平滑化動作などを含んでいてもよい。これは、（１）すべての利得プロファイルにグローバルに適用可能；（２）一つまたは複数だが全部ではない利得プロファイルに固有、一つまたは複数のデフォルトDRC曲線に固有；（３）一つまたは複数の非デフォルトDRC曲線に固有；（４）対応する（たとえばデフォルト、非デフォルトなど）利得プロファイルに固有；（５）メディア符号化フォーマット、メディア規格、メディア独自仕様などによってサポートされるパラメータ化の限界を超えるアルゴリズム、曲線、関数、動作、パラメータなどの一つまたは複数に関係する；（６）出回っているオーディオ・デコード装置においてまだ一般には実装されていないアルゴリズム、曲線、関数、動作、パラメータなどの一つまたは複数に関係する、動作のうちの任意のものを含むがそれに限定されるものではない。
【０１０４】
いくつかの実施形態では、オーディオ・デコーダ（１５０）は、少なくとも部分的には（たとえば、エンコードされたオーディオ信号のプロファイル関係メタデータにおける定義データなどによる）デフォルトDRC曲線によって表わされるデフォルト利得プロファイルおよび該デフォルト利得プロファイルとは異なる非デフォルト利得プロファイルに基づいて、オーディオ・コンテンツ（１５２）のための差分利得の集合を決定し、差分利得の前記集合を、前記非デフォルト利得プロファイルの（たとえば前記デフォルトDRC曲線などに対する）表現として、エンコードされたオーディオ信号におけるプロファイル関係メタデータの一部として含めるよう構成されることができる。デフォルトDRC曲線との関係での、エンコードされたオーディオ信号におけるプロファイル関係メタデータから抽出された差分利得の前記集合は、受領側オーディオ・デコーダによって、デフォルトDRC曲線との関係で差分利得の前記集合によって表わされる特定の利得プロファイルについての再生環境またはシナリオにおいて利得動作（または減衰動作）を効率的かつ一貫して実行するために、使用されることができる。これは、受領側のオーディオ・デコーダが一組の利得生成動作を実装することを要求することなく、受領側のオーディオ・デコーダがその特定の利得プロファイルについての利得または減衰を適用できるようにする。該利得または減衰を生成するために、一組の利得生成動作は、オーディオ・エンコーダ（１５０）において実装されることができる。
【０１０５】
いくつかの実施形態では、差分利得の一つまたは複数の集合が、オーディオ・エンコーダ（１５０）によってプロファイル関係メタデータに含められてもよい。差分利得の一つまたは複数の集合のそれぞれは、一つまたは複数のデフォルト利得プロファイルの一つにおける対応するデフォルト利得プロファイルとの関係で一つまたは複数の非デフォルト利得プロファイルにおける対応する非デフォルト利得プロファイルから導出されてもよい。たとえば、差分利得の前記一つまたは複数の集合における差分利得の第一の集合が、第一のデフォルト利得プロファイルとの関係での第一の非デフォルト利得プロファイルから導出されてもよく、一方、差分利得のそれらの集合における差分利得の第二の集合が、第二のデフォルト利得プロファイルとの関係での第二の非デフォルト利得プロファイルから導出されてもよい。
【０１０６】
いくつかの実施形態では、差分利得の前記第一の集合は、前記第一の非デフォルト利得プロファイルに基づいて生成された非差分非デフォルト利得の第一の集合と、前記第一のデフォルト利得プロファイルに基づいて生成された非差分デフォルト利得の第一の集合との間で決定される第一の利得差分（または利得調整）を含む。一方、差分利得の前記第二の集合は、前記第二の非デフォルト利得プロファイルに基づいて生成された非差分非デフォルト利得の第二の集合と、前記第二のデフォルト利得プロファイルに基づいて生成された非差分デフォルト利得の第二の集合との間で決定される第二の利得差分を含む。
【０１０７】
前記第一のデフォルト利得プロファイルおよび前記第二のデフォルト利得プロファイルは同じであってもよく（たとえば、同じ一組の利得生成動作とともに同じデフォルトDRC曲線によって表わされるなど）、あるいは異なっていてもよい（たとえば、異なるデフォルトDRC曲線によって表わされる、異なる組の利得生成動作とともに、あるデフォルトDRCによって表わされるなどなど）。さまざまな実施形態において、追加的、任意的または代替的に、前記第一の非デフォルト利得プロファイルは、前記第二の非デフォルト利得プロファイルと同じであってもなくてもよい。
【０１０８】
オーディオ・エンコーダ（１５０）によって生成されるプロファイル関係メタデータは、一つまたは複数の対応する非デフォルト利得プロファイルについての差分利得の一つまたは複数の集合の存在を示すために、一つまたは複数の特定のフラグ、インジケータ、データ・フィールドなどを担持することができる。プロファイル関係データはまた、特定の再生環境またはシナリオにおいて当該オーディオ・コンテンツをレンダリングするためにどの非デフォルト利得プロファイルが好ましいかを示すために、選好フラグ、インジケータ、データ・フィールドなどをも含んでいてもよい。
【０１０９】
いくつかの実施形態では、本稿に記載されるオーディオ・デコーダ（たとえば１００など）は、エンコードされたオーディオ信号（１０２）からの（たとえばマルチチャネルなどの）オーディオ・コンテンツをデコードするよう構成され、該オーディオ・コンテンツとともに送達されるラウドネス・メタデータからダイアログ・ラウドネス・レベル（たとえば「dialnorm」など）を抽出するなどする。
【０１１０】
いくつかの実施形態では、オーディオ・デコーダ（たとえば１００など）は、前記第一のデフォルト・プロファイル、前記第二のデフォルト・プロファイルなどのような利得プロファイルについて少なくとも一組の利得生成動作を実行するよう構成される。たとえば、オーディオ・デコーダ（１００）は、ダイアログ・ラウドネス・レベル（たとえば「dialnorm」など）をもつエンコードされたオーディオ信号（１０２）をデコードし；一組の利得生成動作を実行して、エンコードされたオーディオ信号（１０２）からオーディオ・デコーダ（１００）によって定義データが抽出されることのできるデフォルトDRC曲線によって表わされるデフォルト利得プロファイルについて、非差分デフォルト利得（または減衰）の集合を取得し；デコードの間に該デフォルト利得プロファイルについての非差分デフォルト利得（たとえば、参照ラウドネス・レベルと「dialnorm」の間の差など）の前記集合を適用して、サウンド出力の出力ダイアログ・ラウドネス・レベルを参照ラウドネス・レベルに揃える／調整する；などすることができる。
【０１１１】
追加的、任意的または代替的に、いくつかの実施形態では、オーディオ・デコーダ（１００）は、エンコードされたオーディオ信号（１０２）から差分利得の少なくとも一つの集合を抽出するよう構成される。該差分利得の集合は、オーディオ・コンテンツと一緒に送達されたメタデータの一部として上記で論じたようなデフォルトDRC曲線との関係で非デフォルト利得プロファイルを表わすものである。いくつかの実施形態では、プロファイル関係メタデータは、差分利得の一つまたは複数の異なる集合を含み、該差分利得の一つまたは複数の異なる集合のそれぞれは、デフォルト利得プロファイルを表わすそれぞれのデフォルトDRC曲線との関係で非デフォルト利得プロファイルを表わす。DRC曲線または差分利得の集合がプロファイル関係メタデータに存在することは、プロファイル関係メタデータにおいて担持される一つまたは複数のフラグ、インジケータ、データ・フィールドによって示されてもよい。
【０１１２】
差分利得の前記一つまたは複数の集合が存在することを判別するのに応答して、オーディオ・デコーダ（１００）は、差分利得の前記一つまたは複数の異なる集合のうちから、特定の非デフォルト利得プロファイルに対応する差分利得の集合を決定／選択することができる。オーディオ・デコーダ（１００）はさらに、――たとえばプロファイル関係メタデータ中の一つまたは複数の異なるデフォルトDRC曲線についての定義データのうちで――差分利得の前記集合が前記特定の利得プロファイルを表わす基準としているデフォルトDRC曲線を特定するよう構成されることができる。
【０１１３】
いくつかの実施形態では、オーディオ・デコーダ（１００）は、一組の利得生成動作を実行して、前記デフォルト利得プロファイルについての非差分デフォルト利得（または減衰）の集合を取得するよう構成される。デフォルトDRC曲線に基づいて非差分デフォルト利得の前記集合を取得するためにオーディオ・デコーダ（１００）によって実行される前記一組の利得生成動作は、標準、独自仕様などの一つまたは複数に関係する一つまたは複数の動作を含んでいてもよい。いくつかの実施形態では、オーディオ・デコーダ（１００）は、プロファイル関係メタデータから定義データが抽出される差分利得の前記集合と、デフォルトDRC曲線に基づいて前記一組の利得生成動作によって生成された非差分デフォルト利得の前記集合とに基づいて、前記特定の非デフォルト利得プロファイルについての非差分非デフォルト利得の集合を生成し；デコードの間に該デフォルト利得プロファイルについての非差分非デフォルト利得（たとえば、参照ラウドネス・レベルと「dialnorm」の間の差など）の前記集合を適用して、サウンド出力の出力ダイアログ・ラウドネス・レベルを参照ラウドネス・レベルに揃える／調整する；などするよう構成される。
【０１１４】
いくつかの実施形態では、オーディオ・デコーダ（１００）は、一つまたは複数の利得プロファイルについて利得関係動作を実行することができる。オーディオ・デコーダ（１００）は、一つまたは複数の因子に基づいて、特定の利得プロファイルについての利得関係動作を決定し、実行するよう構成されることができる。これらの因子は、これだけに限られないが：特定のユーザー選択された利得プロファイルについての選好を指定するユーザー入力、システム選択された利得プロファイルについての選好を指定するユーザー入力、オーディオ・デコーダ（１００）によって使われる特定のスピーカーまたはオーディオ・チャネル構成の機能、オーディオ・デコーダ（１００）の機能、前記特定の利得プロファイルについてのプロファイル関係メタデータの利用可能性、利得プロファイルについての任意のエンコーダ生成された選好フラグなどの一つまたは複数を含みうる。いくつかの実施形態では、これらの因子どうしの間で衝突がある場合には特定の利得プロファイルを決定または選択するために、オーディオ・デコーダ（１００）は、一つまたは複数の手順規則を実装してもよく、さらなるユーザー入力を求めるなどしてもよい。
【０１１５】
〈１１．利得に関係した追加的動作〉
本稿に記載される技法のもとでは、動的等化、ノイズ補償などといった他の処理も、物理領域（または物理領域を表わすデジタル領域）ではなくラウドネス（たとえば知覚的）領域で実行されることができる。
【０１１６】
いくつかの実施形態では、DRC、等化ノイズ補償、クリップ防止、利得平滑化などといった多様な処理の一部または全部からの利得が、ラウドネス領域における同じ利得に組み合わされてもよく、および／または並列に適用されてもよい。他のいくつかの実施形態では、DRC、等化ノイズ補償、クリップ防止、利得平滑化などといった多様な処理の一部または全部からの利得は、ラウドネス領域における別個の利得であってもよく、および／または少なくとも部分的には直列に適用されてもよい。他のいくつかの実施形態では、DRC、等化ノイズ補償、クリップ防止、利得平滑化などといった多様な処理の一部または全部からの利得は、順に適用されてもよい。
【０１１７】
〈１２．特定的およびブロードバンド（または広帯域）のラウドネス・レベル〉
伝送フィルタ、聴覚的フィルタバンク、合成フィルタバンク、短時間フーリエ変換などといった一つまたは複数のオーディオ処理要素、ユニット、コンポーネントなどが、本稿に記載されるオーディオ処理動作を実行するためにエンコーダまたはデコーダによって使われてもよい。
【０１１８】
いくつかの実施形態では、人間の聴覚系の外耳および中耳のフィルタリングをモデル化する一つまたは複数の伝達フィルタが、はいってくるオーディオ信号（たとえば、エンコードされたオーディオ信号１０２、コンテンツ・プロバイダーからのオーディオ・コンテンツなど）をフィルタリングするために使われてもよい。いくつかの実施形態では、聴覚的フィルタバンクは、人間の聴覚系の周波数選択性および周波数広がりをモデル化するために使われてもよい。これらのフィルタの一部または全部からの励起信号レベルは、人間の聴覚系におけるエネルギーの積分をモデル化するために、より高い周波数にかけてより短くなる周波数依存の時定数をもって決定／計算され、平滑化されてもよい。その後、励起信号と特定的ラウドネス・レベルとの間の非線形関数（たとえば関係、曲線など）が、周波数依存の特定的ラウドネス・レベルのプロファイルを取得するために、使われてもよい。ブロードバンド（または広帯域）ラウドネス・レベルは、諸周波数帯域にわたって特定的ラウドネスを積分することによって取得できる。
【０１１９】
特定的ラウドネス・レベルの素直な（たとえばすべての周波数帯域に等しい重みを用いるなど）総和／積分は、ブロードバンド信号についてはうまく機能しうる。しかしながら、そのようなアプローチは、狭帯域信号についての（たとえば知覚的などの）ラウドネス・レベルを過小評価することがある。いくつかの実施形態では、異なる周波数におけるまたは異なる周波数帯域における特定的ラウドネス・レベルは異なる重みを与えられる。
【０１２０】
いくつかの実施形態では、上述したような聴覚的フィルタバンクおよび／または伝達フィルタは、一つまたは複数の短時間フーリエ変換（STFT）によって置換されてもよい。伝達フィルタおよび聴覚的フィルタバンクの応答は、高速フーリエ変換（FFT）領域において適用されてもよい。いくつかの実施形態では、たとえば一つまたは複数の（たとえば順方向など）伝達フィルタが物理領域（または物理領域を表わすデジタル領域）からラウドネス領域への変換においてまたは該変換前に使われるとき、一つまたは複数の逆伝達フィルタが使用される。いくつかの実施形態では、たとえば聴覚的フィルタバンクおよび／または伝達フィルタの代わりにSTFTが使われるときは、逆伝達フィルタは使用されない。いくつかの実施形態では、聴覚的フィルタバンクは省略される；その代わりに、一つまたは複数の直交ミラー・フィルタ（QMF）が使用される。これらの実施形態において、人間の聴覚系のモデルにおける基底膜の拡散効果は、本稿に記載されるオーディオ処理動作の事項に著しく影響することなく、省略されうる。
【０１２１】
本稿に記載される技法のもとで、さまざまな実施形態において異なる数の周波数帯域（たとえば20個の周波数帯域、40個の周波数帯域など）が使用されうる。追加的、任意的または代替的に、さまざまな実施形態において、異なる帯域幅が使用されてもよい。
【０１２２】
〈１３．チャネルの個々の部分集合のための個々の利得〉
いくつかの実施形態では、特定のスピーカー構成がマルチチャネル構成であるとき、物理領域（または物理領域を表わすデジタル領域）からラウドネス領域への変換の前にすべてのチャネルの励起信号をまず加算することによって、全体的ラウドネス・レベルが得られてもよい。しかしながら、特定のスピーカー構成におけるすべてのチャネルに同じ利得を適用することは、その特定のスピーカー構成の異なるチャネルの間の空間的バランス（異なるチャネルの間の相対的なラウドネス・レベルなどに関するバランス）を保存しないことがある。
【０１２３】
いくつかの実施形態では、異なるチャネルの間の相対的な知覚的ラウドネス・レベルが最適にまたは正しく維持されうるよう空間的バランスを保存するために、それぞれのラウドネス・レベルおよび該それぞれのラウドネス・レベルに基づいて得られる対応する利得はチャネル毎に決定または計算されてもよい。いくつかの実施形態では、それぞれのラウドネス・レベルに基づいて得られる対応する利得は、同じ全体的利得に等しくはない。たとえば、該対応する利得の一部または全部のそれぞれは、全体的利得に（たとえばチャネル固有の）小さな補正を加えたものに等しくてもよい。
【０１２４】
いくつかの実施形態では、空間的バランスを保存するために、それぞれのラウドネス・レベルおよび該それぞれのラウドネス・レベルに基づいて得られる対応する利得はチャネルの部分集合毎に決定または計算されてもよい。いくつかの実施形態では、それぞれのラウドネス・レベルに基づいて得られる対応する利得は、同じ全体的利得に等しくはない。たとえば、該対応する利得の一部または全部のそれぞれは、全体的利得に（たとえばチャネル固有の）小さな補正を加えたものに等しくてもよい。いくつかの実施形態では、チャネルの部分集合は、その特定のスピーカー構成における全チャネルの真部分集合をなす二つ以上のチャネルを含んでいてもよい（たとえば、左前方、右前方および低域効果（LFE）を含むチャネルの部分集合、左サラウンドおよび右サラウンドを含むチャネルの部分集合など）。チャネルの部分集合についてのオーディオ・コンテンツは、エンコードされたオーディオ信号（１０２）において担持される全体的な混合のサブミックスをなしてもよい。サブミックス内の諸チャネルは同じ利得を適用されることができる。
【０１２５】
いくつかの実施形態では、特定のスピーカー構成から（たとえば実際に知覚されるなどの）実際のラウドネスを生成するために、デジタル領域の信号レベルを該デジタル領域によって表わされる物理領域での対応する物理（たとえば、dBSPLなどによる空間的圧力）レベルに関係付けるために、一つまたは複数の較正パラメータが使用されてもよい。該一つまたは複数の較正パラメータは、特定のスピーカー構成における物理的なサウンド設備に固有の値を与えられてもよい。
【０１２６】
〈１４．聴覚シーン解析〉
いくつかの実施形態では、本稿に記載されるエンコーダは、（たとえばエンコードされたオーディオ信号１０２中にエンコードされているなどの）オーディオ・コンテンツにおける聴覚イベント境界を検出し、一つまたは複数のASAパラメータを生成し、該一つまたは複数のASAパラメータを、下流の装置（たとえばデコーダ１００など）に送達されるエンコードされたオーディオ信号（たとえば１０２など）の一部としてフォーマットするために、コンピュータ・ベースの聴覚シーン解析（ASA）を実装してもよい。ASAパラメータは、これだけに限られるものではないが、聴覚イベント境界の位置、聴覚イベント確実性指標の値（下記でさらに説明する）などを含みうる。
【０１２７】
いくつかの実装では、聴覚イベント境界の（たとえば時間的な）位置は、エンコードされたオーディオ信号（１０２）内にエンコードされたメタデータにおいて示されてもよい。追加的、任意的または代替的に、聴覚イベント境界の（たとえば時間的な）位置は、該聴覚イベント境界の位置が検出されるオーディオ・データ・ブロックおよび／またはフレームにおいて（たとえばフラグ、データ・フィールドなどを用いて）指示されてもよい。
【０１２８】
本稿での用法では、聴覚イベント境界は、先行する聴覚イベントが終わるおよび／または後続の聴覚イベントが始まる点を指す。各聴覚イベントは、二つの相続く聴覚イベント境界の間に生起する。
【０１２９】
いくつかの実施形態では、エンコーダ（１５０）は、二つの（たとえば時間的などの）連続するオーディオ・データ・フレームの間の特定的ラウドネス・スペクトルにおける差によって、聴覚イベント境界を検出するよう構成される。各特定的ラウドネス・スペクトルは、それらの連続するオーディオ・データ・フレームのうちの対応するオーディオ・データ・フレームから計算される、平滑化されていないラウドネスのスペクトルを含んでいてもよい。
【０１３０】
いくつかの実施形態では、特定的ラウドネス・スペクトルN[b,t]は、次式に示されるように、規格化された特定的ラウドネス・スペクトルNNORM[b,t]を得るよう規格化されてもよい。
【０１３１】
NNORM[b,t]＝N[b,t]／maxb{N[b,t]}        (1)
ここで、bは帯域を示し、tは時間またはオーディオ・フレーム・インデックスを示し、maxb{N[b,t]}はすべての周波数帯域にわたる最大の特定的ラウドネス・レベルである。
【０１３２】
規格化された特定的ラウドネス・スペクトルは、次式に示されるように、互いに減算され、差分絶対値和D[t]を導出するために使われる。
【０１３３】
D[t]＝Σb｜NNORM[b,t]−NNORM[b,t−1]｜        (2)
差分絶対値和は、次のように、0から1の値範囲をもつ聴覚イベント確実性指標にマッピングされる。
【０１３４】
【数１】
2020039181.tif 000004
ここで、DminおよびDmaxは最小および最大の閾値である（たとえば、ユーザー構成設定可能、システム構成設定可能、当該オーディオ・コンテンツにおけるD[t]の過去の値分布に関係して設定される、など）。
【０１３５】
いくつかの実施形態では、エンコーダ（１５０）は、（たとえば特定のtにおけるなどの）D[t]がDminを上回るときに（たとえば前記特定のtにおけるなどの）聴覚イベント境界を検出するよう構成される。
【０１３６】
いくつかの実施形態では、本稿に記載されるデコーダ（たとえば１００など）は、エンコードされたオーディオ信号（たとえば１０２など）からASAパラメータを抽出し、該ASAパラメータを、聴覚イベントの知覚的な歪みを引き起こす、ソフトな音の意図しないブーストおよび／またはラウドな音の意図しないカット防止するために使う。
【０１３７】
デコーダ（１００）は、聴覚イベント内では利得はより一定に近いことを保証し、利得変化の多くを聴覚イベント境界の近傍に制約することによって、聴覚イベントの意図しない歪みを軽減または防止するよう構成されてもよい。たとえば、デコーダ（１００）は、聴覚イベント境界におけるアタック（たとえばラウドネス・レベル増など）における利得変化に応答して、比較的小さな時定数（たとえば諸聴覚イベントの最小継続時間に匹敵するまたはそれより短いものなど）を使うよう構成されてもよい。よって、アタックにおける利得変化は、デコーダ（１００）によって、比較的迅速に実装されることができる。他方、デコーダ（１００）は、聴覚イベントにおけるリリース（たとえばラウドネス・レベル減など）における利得変化に応答して、聴覚イベントの継続時間に比して比較的長い時定数を使うよう構成されてもよい。よって、リリースにおける利得変化は、デコーダ（１００）によって、比較的ゆっくり実装されることができ、それにより、一定に感じられるべきまたは徐々に減衰するべき音は聴覚的または知覚的に乱されないことがある。聴覚イベント境界におけるアタックにおける迅速な応答および聴覚イベントにおけるリリースにおけるゆっくりした応答は、聴覚イベントの到達の高速な知覚を許容するとともに、ピアノ和音などのような聴覚イベント――これは特定のラウドネス・レベル関係および／または特定の時間関係によってリンクされたラウドな音およびソフトな音を含む――の間の知覚的な品質および／または無欠性を保存する。
【０１３８】
いくつかの実施形態では、聴覚イベントおよびASAパラメータによって指示される聴覚イベント境界は、デコーダ（１００）における特定のスピーカー構成におけるチャネルの一つ、二つ、一部または全部における利得変化を制御するために、デコーダ（１００）によって使われる。
【０１３９】
〈１５．ラウドネス・レベル遷移〉
ラウドネス・レベル遷移はたとえば、二つのプログラムの間、プログラムとラウドなコマーシャルの間などで起こりうる。いくつかの実施形態では、デコーダ（１００）は、（たとえば、過去4秒にわたってエンコードされたオーディオ信号１０２から受領されたなどの）過去のオーディオ・コンテンツに基づく瞬時ラウドネス・レベルのヒストグラムを維持するよう構成される。ラウドネス・レベル遷移前からラウドネス・レベル遷移後にかけての時間区間にわたって、高められた確率をもつ二つの領域がヒストグラムに記録されうる。それらの領域の一方は、前のラウドネス・レベルを中心としており、一方、それらの領域の他方は、新しいラウドネス・レベルを中心としている。
【０１４０】
デコーダ（１００）は、オーディオ・コンテンツが処理される際に、平滑化されたラウドネス・レベルを動的に決定し、該平滑化されたラウドネス・レベルに基づいてヒストグラムの対応するビン（たとえば、平滑化されたラウドネス・レベルと同じ値を含む瞬時ラウドネス・レベルのビン）を決定してもよい。デコーダ（１００）はさらに、該対応するビンにおける確率を閾値（たとえば、6%、7%、7.5%など）と比較するよう構成される。ここで、ヒストグラム曲線の全面積（たとえば、すべてのビンの和）は、100%の確率を表わす。デコーダは、対応するビンが閾値を下回る確率を決定することによって、ラウドネス・レベル遷移の発生を検出するよう構成されることができる。応答して、デコーダ（１００）は、新しいラウドネス・レベルに比較的速く適応するために、比較的小さな時定数を選択するよう構成されていてもよい。結果として、ラウドネス・レベル遷移内のラウド（またはソフト）な始まりの継続時間は短縮されることができる。
【０１４１】
いくつかの実施形態では、デコーダ（１００）は、低い瞬時ラウドネス・レベルがヒストグラムにはいってヒストグラムにおける高確率ビンとなるのを防ぐために無音／ノイズ・ゲートを使う。追加的、任意的または代替的に、デコーダ（１００）は、ヒストグラムに含められるべき聴覚イベントを検出するために前記ASAパラメータを使うよう構成されていてもよい。いくつかの実施形態では、デコーダ（１００）は、時間平均された聴覚イベント確実性指標の時間依存する値
【数２】
2020039181.tif 000005
をASAパラメータから決定してもよい。いくつかの実施形態では、デコーダ（１００）は、ASAパラメータからの（たとえば瞬時などの）聴覚イベント確実性指標の時間依存する値A[t]などに基づいて、時間平均された聴覚イベント確実性指標の値
【数３】
2020039181.tif 000006
を計算してもよい。デコーダ（１００）は、ラウドネス・レベルと同時の前記時間平均された聴覚イベント確実性指標
【数４】
2020039181.tif 000007
がヒストグラム包含閾値（たとえば0.1、0.12など）を下回る場合に、該ラウドネス・レベルをヒストグラムにはいることから除外するよう構成されていてもよい。
【０１４２】
いくつかの実施形態では、ヒストグラムに含められることが許される（たとえば瞬時などの）ラウドネス・レベル（たとえば、対応する￣付きのA[t]の値が前記ヒストグラム包含閾値より上であるなど）について、ラウドネス・レベルは、それらのラウドネス・レベルと同時の前記時間平均された聴覚イベント確実性指標〔￣付きのA[t]〕の時間依存の値と同じである、またはそれに比例するなどである重みを割り当てられる。結果として、聴覚イベント境界に近いラウドネス・レベルは、聴覚イベント境界に近くない他のラウドネス・レベルよりも、ヒストグラムに対して多くの影響をもつ（たとえば、￣付きのA[t]が相対的に大きな値をもつなど）。
【０１４３】
〈１６．リセット〉
いくつかの実施形態では、本稿に記載されるエンコーダ（たとえば１５０など）は、リセット・イベントを検出し、該リセット・イベントの指標を、エンコードされたオーディオ信号（たとえば１０２など）に含めるよう構成される。第一の例では、エンコーダ（１５０）は、相対的な無音の連続的な（たとえばシステムおよび／またはユーザーによって構成設定可能な250ミリ秒など）期間が生じると判別することに応答してリセット・イベントを検出する。第二の例では、エンコーダ（１５０）は、すべての周波数帯域を横断して励起レベルの大きな瞬間的な降下が生じることを判別するのに応答してリセット・イベントを検出する。第三の例では、エンコーダは、リセットを要求する、コンテンツ遷移（たとえばプログラム開始／終了、シーン変化など）が生じるところで入力（たとえばユーザー入力、システム制御されるメタデータなど）を与えられる。
【０１４４】
いくつかの実施形態では、本稿に記載されるデコーダ（たとえば１００など）は、瞬時に利得平滑化を高速化するために使用できるリセット機構を実装する。該リセット機構は有用であり、チャネルとオーディオビジュアル入力の間の切り換えが起こるときに呼び出されてもよい。
【０１４５】
いくつかの実施形態では、デコーダ（１００）は、相対的な無音の連続的な（たとえばシステムおよび／またはユーザーによって構成設定可能な250ミリ秒など）期間が生じるかどうか、すべての周波数帯域を横断した励起レベルの大きな瞬間的な降下が生じるかどうかなどを判定することによって、リセット・イベントが生じるかどうかを判定するよう構成されることができる。
【０１４６】
いくつかの実施形態では、デコーダ（１００）は、上流のエンコーダ（たとえば１５０など）によって、エンコードされたオーディオ信号（１０２）において提供された（たとえばリセット・イベントなどの）指標を受領することに応答して、リセット・イベントが生じることを判別するよう構成されている。
【０１４７】
リセット機構は、デコーダ（１００）がリセット・イベントが生じることを判別するときに、リセットを発するようにされてもよい。いくつかの実施形態では、リセット機構は、（たとえばラウドなプログラム／チャネル／オーディオビジュアル源などの）ハードな開始を防止するよう、DRC圧縮曲線のもう少し積極的なカット挙動を使うよう構成される。追加的、任意的または代替的に、デコーダ（１００）は、デコーダ（１００）がリセットが誤ってトリガーされたことを検出するときに優雅に回復するためのセーフガードを実装するよう構成されもよい。
【０１４８】
〈１７．エンコーダによって提供される利得〉
いくつかの実施形態では、オーディオ・デコーダは、エンコードされたオーディオ信号中にエンコードされるべきオーディオ・コンテンツの個々の部分（たとえば、オーディオ・データ・ブロック、オーディオ・データ・フレームなど）について利得（たとえばDRC利得など）の一つまたは複数の集合を計算するよう構成されることができる。オーディオ・エンコーダによって生成された利得のそれらの集合は、すべてのチャネル（たとえば左前方、右前方、低域効果もしくはLFE、中央、左サラウンド、右サラウンドなど）についての単一のブロードバンド（または広帯域）利得を含む利得の第一の集合；チャネルの個々の部分集合についての個々のブロードバンド（または広帯域）利得を含む利得の第二の集合；チャネルの個々の部分集合についておよび第一の数（たとえば二つなど）の個々の帯域（たとえば各チャネルにおける二つの帯域など）のそれぞれについての個々のブロードバンド（または広帯域）利得を含む利得の第三の集合；チャネルの個々の部分集合についておよび第二の数（たとえば四つなど）の個々の帯域（たとえば各チャネルにおける四つの帯域など）のそれぞれについての個々のブロードバンド（または広帯域）利得を含む利得の第四の集合；などを含んでいてもよい。ここに記載されるチャネルの部分集合は、左前方、右前方およびLFEチャネルを含む部分集合、中央チャネルを含む部分集合、左サラウンドおよび右サラウンド・チャネルを含む部分集合などの一つであってもよい。
【０１４９】
いくつかの実施形態では、オーディオ・エンコーダは、オーディオ・コンテンツの一つまたは複数の部分（たとえばオーディオ・データ・ブロック、オーディオ・データ・フレームなど）およびオーディオ・コンテンツの前記一つまたは複数の部分について計算された利得の一つまたは複数の集合を時間同期的な仕方で伝送するよう構成される。オーディオ・コンテンツの前記一つまたは複数の部分を受領するオーディオ・デコーダは、ほとんどまたは全く遅延なしに、利得の前記一つまたは複数の集合のうちの利得のある集合を選択し、適用することができる。いくつかの実施形態では、オーディオ・エンコーダは、利得の前記一つまたは複数の集合が図４に示されるような一つまたは複数のサブフレームにおいて（たとえば差分符号化などを用いて）担持されるサブフレーミング技法を実装することができる。一例では、サブフレームは、それらの利得が計算されるオーディオ・データ・ブロックまたはオーディオ・データ・フレーム内にエンコードされてもよい。もう一つの例では、サブフレームは、それらの利得が計算されるオーディオ・データ・ブロックまたはオーディオ・データ・フレームに先行する諸オーディオ・データ・ブロックまたは諸オーディオ・データ・フレーム内にエンコードされてもよい。もう一つの限定しない例では、サブフレームは、それらの利得が計算されるオーディオ・データ・ブロックまたはオーディオ・データ・フレームからある時間内の諸オーディオ・データ・ブロックまたは諸オーディオ・データ・フレーム内にエンコードされてもよい。いくつかの実施形態では、利得のそれらの集合を担持するサブフレームにデータを入れるおよび／または該サブフレームを圧縮するために、ハフマンおよび差分符号化が使われてもよい。
【０１５０】
〈１８．例示的なシステムおよびプロセス・フロー〉
図５は、限定しない例示的実施形態における例示的なコーデック・システムを示している。１５０などのようなオーディオ・エンコーダ内の処理ユニットであってもよいコンテンツ・クリエーターは、オーディオ・コンテンツ（「オーディオ」）をエンコーダ・ユニット（「NGCエンコーダ」）に提供するよう構成される。エンコーダ・ユニットは、オーディオ・コンテンツをオーディオ・データ・ブロックおよび／またはフレームにフォーマットし、オーディオ・データ・ブロックおよび／またはフレームをエンコードされたオーディオ信号にエンコードする。コンテンツ・クリエーターは、オーディオ・コンテンツにおける一つまたは複数のプログラム、コマーシャルなどの一つまたは複数のダイアログ・ラウドネス・レベル（「dialnorm」）および一つまたは複数のダイナミックレンジ圧縮曲線識別子（「圧縮曲線ID」）を確立／生成するようにも構成される。コンテンツ・クリエーターは、オーディオ・コンテンツにおける一つまたは複数のダイアログ・オーディオ・トラックからダイアログ・ラウドネス・レベルを決定してもよい。ダイナミックレンジ圧縮曲線識別子は、少なくとも部分的にはユーザー入力、システム構成設定パラメータなどに基づいて選択されてもよい。コンテンツ・クリエーターは、オーディオ・コンテンツおよびdialnormを生成するためにツールを使う人間（たとえばアーチスト、オーディオ・エンジニアなど）であってもよい。
【０１５１】
ダイナミックレンジ圧縮曲線識別子に基づいて、エンコーダ（１５０）は、前記一つまたは複数のダイナミックレンジ圧縮曲線によってサポートされる複数の再生環境についての対応する参照ダイアログ・ラウドネス・レベル（「参照レベル」）を含むがそれに限定されない一つまたは複数のDRCパラメータ集合を生成する。これらのDRCパラメータ集合は、オーディオ・コンテンツと一緒にインバンドで、オーディオ・コンテンツとはアウトオブバンドでなどで、エンコードされたオーディオ信号のメタデータ中にエンコードされてもよい。圧縮、フォーマット多重化（「MUX」）などのような動作は、１００などのようなオーディオ・デコーダに送達されうるエンコードされたオーディオ信号を生成することの一部として実行されてもよい。エンコードされたオーディオ信号は、オーディオ・データ要素、DRCパラメータ集合、参照ラウドネス・レベル、ダイナミックレンジ圧縮曲線、関数、ルックアップテーブル、圧縮において使われるハフマン符号、サブフレームなどの担持をサポートするシンタックスをもってエンコードされてもよい。いくつかの実施形態では、シンタックスは、上流の装置（たとえばエンコーダ、デコーダ、トランスコーダなど）が利得を下流の装置（たとえば、デコーダ、トランスコーダなど）に伝送することを許容する。いくつかの実施形態では、エンコードされたオーディオ信号にデータをエンコードするおよび／またはエンコードされたオーディオ信号から該データをデコードするために使われるシンタックスは、上流の装置によって計算された利得に依拠する装置が任意的にそのようにし続けてもよいよう、後方互換性をサポートするよう構成される。
【０１５２】
いくつかの実施形態では、エンコーダ（１５０）は、オーディオ・コンテンツについての利得（たとえば適切な参照ダイアログ・ラウドネス・レベルを用いる利得平滑化、DRC利得など）の二つ以上の集合を計算する。利得についてのこれらの集合は、オーディオ・コンテンツと一緒にエンコードされたオーディオ信号中にエンコードされたメタデータにおいて、前記一つまたは複数のダイナミックレンジ圧縮曲線を提供されてもよい。利得の第一の集合は、（たとえばデフォルトなどの）スピーカー構成またはプロファイルにおけるすべてのチャネルについてのブロードバンド（または広帯域）利得に対応してもよい。利得の第二の集合は、スピーカー構成またはプロファイルにおけるすべてのチャネルのそれぞれについてのブロードバンド（または広帯域）利得に対応してもよい。利得の第三の集合は、スピーカー構成またはプロファイルにおけるすべてのチャネルのそれぞれにおける二つの帯域のそれぞれについてのブロードバンド（または広帯域）利得に対応してもよい。利得の第四の集合は、スピーカー構成またはプロファイルにおけるすべてのチャネルのそれぞれにおける四つの帯域のそれぞれについてのブロードバンド（または広帯域）利得に対応してもよい。いくつかの実施形態では、あるスピーカー構成について計算された利得の集合は、メタデータにおいて該スピーカー構成についての（たとえばパラメータ化されたなどの）ダイナミックレンジ圧縮曲線と一緒に伝送されてもよい。いくつかの実施形態では、あるスピーカー構成について計算された利得の集合は、メタデータにおいて該スピーカー構成についての（たとえばパラメータ化されたなどの）ダイナミックレンジ圧縮曲線を置換してもよい。追加的なスピーカー構成またはプロファイルは、本稿に記載される技法のもとでサポートされてもよい。
【０１５３】
デコーダ（１００）は、エンコードされたオーディオ信号から、オーディオ・データ・ブロックおよび／またはフレームならびにメタデータを、たとえば圧縮解除、フォーマット解除、多重分離（「DEMUX」）などの動作を通じて、抽出するよう構成される。抽出されたオーディオ・データ・ブロックおよび／またはフレームは、デコーダ・ユニット（「NGCデコーダ」）によってオーディオ・データ要素またはサンプルにデコードされてもよい。デコーダ（１００）はさらに、デコーダ（１００）における、オーディオ・コンテンツがレンダリングされる特定の再生環境のためのプロファイルを決定し、エンコードされたオーディオ信号から抽出されたメタデータからダイナミックレンジ圧縮曲線を選択するよう構成される。デジタル・オーディオ処理ユニット（「DAP」）は、特定の再生環境においてオーディオ・チャネルを駆動するオーディオ信号を生成する目的でオーディオ・データ要素またはサンプルに対してDRCまたは他の動作を適用するよう構成される。デコーダ（１００）は、オーディオ・データ・ブロックまたはフレームに基づくDRC利得および選択されたダイナミックレンジ圧縮曲線を計算し、適用することができる。デコーダ（１００）はまた、選択されたダイナミックレンジ圧縮曲線に関連付けられた参照ダイアログ・ラウドネス・レベルと、エンコードされたオーディオ信号から抽出されたメタデータにおけるダイアログ・ラウドネス・レベルとに基づいて、出力ダイアログ・ラウドネス・レベルを調整することもできる。デコーダ（１００）は、その後、オーディオ・コンテンツおよび特定の再生環境に関係した再生シナリオに固有の利得制限器を適用することができる。このように、デコーダ（１００）は、再生シナリオに合わせて調整されたようにオーディオ・コンテンツをレンダリング／再生することができる。
【０１５４】
図５Ａは、もう一つの例示的なデコーダを示している（これは図５のデコーダ１００と同じであってもよい）。図５Ａに示されるように、図５Ａのデコーダは、エンコードされたオーディオ信号から、オーディオ・データ・ブロックおよび／またはフレームならびにメタデータを、たとえば圧縮解除、フォーマット解除、多重分離（「DEMUX」）などの動作を通じて、抽出するよう構成される。抽出されたオーディオ・データ・ブロックおよび／またはフレームは、デコーダ・ユニット（「デコード」）によってオーディオ・データ要素またはサンプルにデコードされてもよい。図５Ａのデコーダはさらに、デフォルト利得の集合に対してデフォルト圧縮曲線、該デフォルト圧縮曲線に関係する平滑化定数などに基づいてDRC利得計算を実行するよう構成される。図５Ａのデコーダはさらに、特定の再生環境においてオーディオ・チャネルを駆動するDRC向上されたオーディオ出力を生成するために、メタデータ中のプロファイル関係メタデータから非デフォルト利得プロファイルについての差分利得の集合を抽出し、オーディオ・コンテンツがレンダリングされる図５Ａのデコーダにおける非デフォルト利得プロファイルについての非差分利得の集合を決定し、オーディオ・データ要素またはサンプルに対して非差分利得の前記集合および他の動作を適用するよう構成される。図５Ａのデコーダは、図５Ａのデコーダ自身が一組の利得生成動作を実行して非デフォルト利得プロファイルについて直接、非差分利得の集合を得ることのサポートを実装していてもいなくても、非デフォルト利得プロファイルに従ってオーディオ・コンテンツをレンダリング／再生することができる。
【０１５５】
図６Ａないし図６Ｄは、例示的なプロセス・フローを示す。いくつかの実施形態では、メディア処理システムにおける一つまたは複数のコンピューティング装置またはユニットは、このプロセス・フローを実行してもよい。
【０１５６】
図６Ａは、本稿に記載されるオーディオ・デコーダによって実装されてもよい例示的なプロセス・フローを示している。図６Ａのブロック６０２では、第一の装置（たとえば、図１Ａのオーディオ・デコーダ１００など）が、オーディオ・コンテンツと、一つまたは複数のダイナミックレンジ圧縮曲線についての定義データとを含むオーディオ信号を受領する。
【０１５７】
ブロック６０４では、第一の装置は特定の再生環境を判別する。
【０１５８】
ブロック６０６では、第一の装置は、その特定の再生環境についての特定のダイナミックレンジ圧縮曲線を、オーディオ信号から抽出された前記一つまたは複数のダイナミックレンジ圧縮曲線についての前記定義データに基づいて確立する。
【０１５９】
ブロック６０８では、第一の装置は、オーディオ信号から抽出されるオーディオ・コンテンツの一つまたは複数の部分に対する一つまたは複数のダイナミックレンジ制御（DRC）動作を実行する。前記一つまたは複数のDRC動作は、少なくとも部分的には特定のダイナミックレンジ圧縮曲線から得られた一つまたは複数のDRC利得に基づく。
【０１６０】
ある実施形態では、前記一つまたは複数のダイナミックレンジ圧縮曲線についての前記定義データは、アタック時間、リリース時間または前記一つまたは複数のダイナミックレンジ圧縮曲線のうちの少なくとも一つに関係する参照ラウドネス・レベルを含む。
【０１６１】
ある実施形態では、第一の装置は：オーディオ・コンテンツの前記一つまたは複数の部分についての一つまたは複数のラウドネス・レベルを計算する段階；前記特定のダイナミックレンジ圧縮曲線および前記オーディオ・コンテンツの前記一つまたは複数の部分についての前記一つまたは複数のラウドネス・レベルに基づいて、前記一つまたは複数のDRC利得を決定する段階などを実行するようさらに構成される。
【０１６２】
ある実施形態では、前記オーディオ・コンテンツの前記一つまたは複数の部分について計算された前記ラウドネス・レベルの少なくとも一つは、一つまたは複数の周波数帯域に関係する特定的ラウドネス・レベル、ブロードバンド範囲を横断するブロードバンド・ラウドネス・レベル、広帯域範囲を横断する広帯域ラウドネス・レベル、複数の周波数帯域を横断するブロードバンド・ラウドネス・レベル、複数の周波数帯域を横断する広帯域ラウドネス・レベルなどの一つまたは複数である。
【０１６３】
ある実施形態では、前記オーディオ・コンテンツの前記一つまたは複数の部分について計算されたラウドネス・レベルの少なくとも一つは、瞬時ラウドネス・レベルまたは一つまたは複数の時間区間にわたって平滑化されたラウドネス・レベルの一つまたは複数である。
【０１６４】
ある実施形態では、前記一つまたは複数の動作は、ダイアログ・ラウドネス・レベルを調整すること、利得平滑化、利得制限、ダイナミック等化、ノイズ補償などの一つまたは複数に関係する。
【０１６５】
ある実施形態では、第一の装置はさらに：エンコードされたオーディオ信号から一つまたは複数のダイアログ・ラウドネス・レベルを抽出する段階；前記一つまたは複数のダイアログ・ラウドネス・レベルを一つまたは複数の参照ダイアログ・ラウドネス・レベルに調整する段階；などを実行するよう構成される。
【０１６６】
ある実施形態では、第一の装置はさらに：エンコードされたオーディオ信号から一つまたは複数の聴覚シーン解析（ASA）パラメータを抽出する段階；前記オーディオ・コンテンツに適用された利得を平滑化することにおいて使われる一つまたは複数の時定数を変化させる段階であって該利得は前記一つまたは複数のDRC利得のうちの一つまたは複数に関係する、段階；利得平滑化または利得制限などを実行するよう構成される。
【０１６７】
ある実施形態では、第一の装置はさらに：リセット・イベントの指標に基づいて前記オーディオ・コンテンツの前記一つまたは複数の部分にリセット・イベントが生じることを判別する段階であって、前記リセットの前記指標は、前記エンコードされたオーディオ信号から抽出される、段階と；前記オーディオ・コンテンツの前記一つまたは複数の部分に前記リセット・イベントが生じることを判別することに応答して、前記オーディオ・コンテンツの前記一つまたは複数の部分において前記リセット・イベントが生じることを判別する時点において実行されている一つまたは複数の利得平滑化動作に対して一つまたは複数のアクションを行なう段階；などを実行するよう構成される。
【０１６８】
ある実施形態では、第一の装置はさらに：瞬時ラウドネス・レベルのヒストグラムを維持する段階であって、前記ヒストグラムは前記オーディオ・コンテンツにおけるある時間区間から計算された瞬時ラウドネス・レベルが入れられている、段階；特定的ラウドネス・レベルが前記ヒストグラムの高確率領域における閾値より上であるかどうかを判定する段階であって、前記特定的ラウドネス・レベルは前記オーディオ・コンテンツの一部から計算されている、段階；前記特定的ラウドネス・レベルが前記ヒストグラムの前記高確率領域における前記閾値より上であると判定することに応答して、ラウドネス遷移が生じていることを判別し、該ラウドネス遷移を高速化するために利得平滑化において使われる時定数を短くするなどする段階；などを実行するよう構成される。
【０１６９】
図６Ｂは、本稿に記載されるオーディオ・エンコーダによって実装されてもよい例示的なプロセス・フローを示している。図６Ｂのブロック６５２では、第二の装置（たとえば図１Ｂのオーディオ・エンコーダ１５０など）が源オーディオ・フォーマットにおけるオーディオ・コンテンツを受領する。
【０１７０】
ブロック６５４では、第二の装置は、一つまたは複数のダイナミックレンジ圧縮曲線についての定義データを取得する。
【０１７１】
ブロック６５６では、第二の装置は、前記オーディオ・コンテンツと、前記一つまたは複数のダイナミックレンジ圧縮曲線についての前記定義データとを含むオーディオ信号を生成する。
【０１７２】
ある実施形態では、第二の装置はさらに、前記一つまたは複数のダイナミックレンジ圧縮曲線についての一つまたは複数の識別子を決定する段階と；前記一つまたは複数の識別子に基づいて参照データ貯蔵部から前記一つまたは複数のダイナミックレンジ圧縮曲線についての前記定義データを取り出す段階；などを実行するよう構成される。
【０１７３】
ある実施形態では、第二の装置はさらに：前記オーディオ・コンテンツの前記一つまたは複数の部分についての一つまたは複数のダイアログ・ラウドネス・レベルを計算する段階と；前記一つまたは複数のダイアログ・ラウドネス・レベルを、前記オーディオ・コンテンツの前記一つまたは複数の部分と一緒に、前記エンコードされたオーディオ信号中にエンコードする段階；などを実行するよう構成される。
【０１７４】
ある実施形態では、第二の装置は：前記オーディオ・コンテンツの前記一つまたは複数の部分に対して聴覚イベント・シーン（ASA）を実行する段階；前記オーディオ・コンテンツの前記一つまたは複数の部分に対するASAの結果に基づいて一つまたは複数のASAパラメータを生成する段階；前記一つまたは複数のASAパラメータを、前記オーディオ・コンテンツの前記一つまたは複数の部分と一緒に、前記エンコードされたオーディオ信号中にエンコードする段階；などを実行するよう構成される。
【０１７５】
ある実施形態では、第二の装置はさらに：前記オーディオ・コンテンツの前記一つまたは複数の部分において一つまたは複数のリセット・イベントが生起することを判別する段階と；前記一つまたは複数のリセット・イベントの一つまたは複数の指標を、前記オーディオ・コンテンツの前記一つまたは複数の部分と一緒に、前記エンコードされたオーディオ信号中にエンコードする段階；などを実行するよう構成される。
【０１７６】
ある実施形態では、第二の装置はさらに、前記オーディオ・コンテンツの前記一つまたは複数の部分を、オーディオ・データ・フレームまたはオーディオ・データ・ブロックの一つまたは複数にエンコードするよう構成される。
【０１７７】
ある実施形態では、前記一つまたは複数のDRC利得の第一のDRC利得は、その特定の再生環境に対応する特定のスピーカー構成におけるすべてのチャネルの集合における第一の真部分集合における各チャネルに当てはまり、一方、前記一つまたは複数のDRC利得の第二の異なるDRC利得は、その特定の再生環境に対応する前記特定のスピーカー構成におけるすべてのチャネルの前記集合における第二の真部分集合における各チャネルに当てはまる。
【０１７８】
ある実施形態では、前記一つまたは複数のDRC利得の第一のDRC利得は第一の周波数帯域に当てはまり、前記一つまたは複数のDRC利得の第二の異なるDRC利得は第二の異なる周波数帯域に当てはまる。
【０１７９】
ある実施形態では、前記オーディオ・コンテンツの前記一つまたは複数の部分がオーディオ・データ・フレームまたはオーディオ・データ・ブロックの一つまたは複数を含む。ある実施形態では、エンコードされたオーディオ信号は、オーディオビジュアル信号の一部である。
【０１８０】
ある実施形態では、前記一つまたは複数のDRC利得はラウドネス領域で定義される。
【０１８１】
図６Ｃは、本稿に記載されるオーディオ・デコーダによって実装されてもよい例示的なプロセス・フローを示している。図６Ｃのブロック６６２では、第三の装置（たとえば、図１Ａのオーディオ・デコーダ１００、図５のオーディオ・デコーダ、図５Ａのオーディオ・デコーダなど）が、オーディオ・コンテンツと、一つまたは複数のダイナミックレンジ圧縮（DRC）曲線についての定義データと、差分利得の一つまたは複数の集合とを含むオーディオ信号を受領する。
【０１８２】
ブロック６６４では、第三の装置は、差分利得の一つまたは複数の集合のうちで、特定の再生環境における利得プロファイルのための差分利得の特定の集合を同定する。第三の装置はまた、前記一つまたは複数のDRC曲線のうちで、差分利得の前記特定の集合に関係したデフォルトDRC曲線をも同定する。
【０１８３】
ブロック６６６では、第三の装置は、少なくとも部分的にはデフォルトDRC曲線に基づいてデフォルト利得の集合を生成する。
【０１８４】
ブロック６６８では、少なくとも部分的にはデフォルト利得の前記集合と差分利得の前記特定の集合の組み合わせに基づいて、第三の装置は、前記オーディオ信号から抽出された前記オーディオ・コンテンツの一つまたは複数の部分に対して一つまたは複数の動作を実行する。
【０１８５】
ある実施形態では、デフォルト利得の前記集合は、少なくとも部分的には前記デフォルトDRC曲線に基づいて一組の利得生成動作を実行することによって生成された非差分利得を含む。
【０１８６】
ある実施形態では、前記デフォルトDRC曲線は、デフォルト利得プロファイルを表わす。ある実施形態では、前記デフォルトDRC曲線との関係での差分利得の前記特定の集合は、非デフォルト利得プロファイルを表わす。ある実施形態では、前記オーディオ信号は、前記非デフォルト利得プロファイルに対応する非デフォルトDRC曲線についての定義データを含まない。
【０１８７】
ある実施形態では、差分利得の前記特定の集合は、非デフォルト利得プロファイルについて生成された非差分非デフォルト利得の集合と、前記デフォルトDRC曲線によって表わされた前記デフォルト利得プロファイルについて生成された非差分デフォルト利得の集合との間の利得差を含む。前記非差分非デフォルト利得の集合と、前記非差分デフォルト利得の集合とは、前記オーディオ信号をエンコードする上流のオーディオ・デコーダによって生成されてもよい。
【０１８８】
ある実施形態では、前記非差分非デフォルト利得の少なくとも一つの集合または前記非差分デフォルト利得の集合は、前記オーディオ信号の一部として提供されない。
【０１８９】
図６Ｄは、本稿に記載されるオーディオ・デコーダによって実装されてもよい例示的なプロセス・フローを示している。図６Ｄのブロック６７２では、第四の装置（たとえば図１Ａのオーディオ・エンコーダ１５０、図５のオーディオ・エンコーダなど）が源オーディオ・フォーマットにおけるオーディオ・コンテンツを受領する。
【０１９０】
ブロック６７４では、第四の装置は、少なくとも部分的には、デフォルト利得プロファイルを表わすデフォルト・ダイナミックレンジ圧縮（DRC）曲線に基づいてデフォルト利得の集合を生成する。
【０１９１】
ブロック６７６では、第四の装置は、非デフォルト利得プロファイルについての非デフォルト利得の集合を生成する。
【０１９２】
ブロック６７８では、少なくとも部分的にはデフォルト利得の前記集合および非デフォルト利得の前記集合に基づいて、第四の装置は、差分利得の集合を生成する。差分利得の前記集合は、前記デフォルトDRC曲線との関係での前記非デフォルト利得プロファイルを表わす。
【０１９３】
ブロック６８０では、第四の装置は、前記オーディオ・コンテンツと、一つまたは複数のDRC曲線についておよび差分利得の一つまたは複数の集合についての前記定義データを含むオーディオ信号を生成する。差分利得の前記一つまたは複数の集合は、差分利得の前記集合を含む。
【０１９４】
いくつかの実施形態では、前記非デフォルト利得プロファイルはDRC曲線によって表わされる。ある実施形態では、前記オーディオ信号は、前記非デフォルト利得プロファイルを表わす前記DRC曲線についての定義データを含まない。いくつかの実施形態では、前記非デフォルト利得プロファイルは、DRC曲線によって表わされない。
【０１９５】
ある実施形態では、プロセッサを有し、本稿に記載される方法のいずれかを実行するよう構成された装置。
【０１９６】
ある実施形態では、一つまたは複数のプロセッサによって実行されたときに、本稿に記載される方法の任意のものの実行を引き起こすソフトウェア命令を含む非一時的なコンピュータ可読記憶媒体。別個の複数の実施形態が本稿において論じられているものの、本稿で論じられる実施形態および／または部分実施形態の任意の組み合わせが組み合わされてさらなる実施形態を形成してもよいことを注意しておく。
【０１９７】
〈１９．実装機構――ハードウェアの概観〉
ある実施形態によれば、本稿に記載される技法は、一つまたは複数の特殊目的コンピューティング装置によって実装される。特殊目的コンピューティング装置は、本技法を実行するよう固定構成とされていてもよいし、あるいは一つまたは複数の特定用途向け集積回路（ASIC）またはフィールド・プログラマブル・ゲート・アレイ（FPGA）のような、本技法を実行するよう持続的にプログラムされたデジタル電子デバイスを含んでいてもよいし、あるいはファームウェア、メモリ、他の記憶または組み合わせにおけるプログラム命令に従って本技法を実行するようプログラムされた一つまたは複数の汎用ハードウェア・プロセッサを含んでいてもよい。そのような特殊目的コンピューティング装置は、カスタムの固定構成論理、ASICまたはFPGAをカスタムのプログラミングと組み合わせて本技法を達成してもよい。特殊目的コンピューティング装置はデスクトップ・コンピュータ・システム、ポータブル・コンピュータ・システム、ハンドヘルド装置、ネットワーキング装置または本技法を実装するために固定構成および／またはプログラム論理を組み込んでいる他の任意の装置であってもよい。
【０１９８】
たとえば、図７は、本発明のある実施形態が実装されうるコンピュータ・システム７００を示すブロック図である。コンピュータ・システム７００は、情報を通信するためのバス７０２または他の通信機構と、情報を処理するための、バス７０２に結合されたハードウェア・プロセッサ７０４とを含む。ハードウェア・プロセッサ７０４はたとえば汎用マイクロプロセッサであってもよい。
【０１９９】
コンピュータ・システム７００は、ランダム・アクセス・メモリ（RAM）または他の動的記憶装置のような、情報およびプロセッサ７０４によって実行されるべき命令を記憶するための、バス７０２に結合されたメイン・メモリ７０６をも含む。メイン・メモリ７０６はまた、一時変数または他の中間的な情報を、プロセッサ７０４によって実行されるべき命令の実行の間、記憶しておくために使われてもよい。そのような命令は、プロセッサ７０４にとってアクセス可能な非一時的な記憶媒体に記憶されたとき、コンピュータ・システム７００を、前記命令において指定されている処理を実行するよう装置固有の特殊目的機械にする。
【０２００】
コンピュータ・システム７００はさらに、バス７０２に結合された、静的な情報およびプロセッサ７０４のための命令を記憶するための読み出し専用メモリ（ROM）７０８または他の静的記憶装置を含む。磁気ディスクまたは光ディスクのような記憶装置７１０が提供され、情報および命令を記憶するためにバス７０２に結合される。
【０２０１】
コンピュータ・システム７００は、コンピュータ・ユーザーに対して情報を表示するための、液晶ディスプレイ（LCD）のようなディスプレイ７１２にバス７０２を介して結合されていてもよい。英数字その他のキーを含む入力装置７１４が、情報およびコマンド選択をプロセッサ７０４に伝えるためにバス７０２に結合される。もう一つの型のユーザー入力装置は、方向情報およびコマンド選択をプロセッサ７０４に伝えるとともにディスプレイ７１２上でのカーソル動きを制御するための、マウス、トラックボールまたはカーソル方向キーのようなカーソル・コントロール７１６である。この入力装置は典型的には、第一軸（たとえばx）および第二軸（たとえばy）の二つの軸方向において二つの自由度をもち、これにより該装置は平面内での位置を指定できる。
【０２０２】
コンピュータ・システム７００は、本稿に記載される技法を実施するのに、装置固有の固定構成論理、一つまたは複数のASICもしくはFPGA、コンピュータ・システムと組み合わさってコンピュータ・システム７００を特殊目的機械にするまたはプログラムするファームウェアおよび／またはプログラム論理を使ってもよい。ある実施形態によれば、本稿の技法は、プロセッサ７０４がメイン・メモリ７０６に含まれる一つまたは複数の命令の一つまたは複数のシーケンスを実行するのに応答して、コンピュータ・システム７００によって実行される。そのような命令は、記憶装置７１０のような別の記憶媒体からメイン・メモリ７０６に読み込まれてもよい。メイン・メモリ７０６に含まれる命令のシーケンスの実行により、プロセッサ７０４は、本稿に記載されるプロセス段階を実行する。代替的な実施形態では、ソフトウェア命令の代わりにまたはソフトウェア命令と組み合わせて固定構成の回路が使用されてもよい。
【０２０３】
本稿で用いられる用語「記憶媒体」は、データおよび／または機械に特定の仕方で動作させる命令を記憶する任意の非一時的な媒体を指す。そのような記憶媒体は、不揮発性媒体および／または揮発性媒体を含んでいてもよい。不揮発性媒体は、たとえば、記憶装置７１０のような光学式または磁気ディスクを含む。揮発性媒体は、メイン・メモリ７０６のような動的メモリを含む。記憶媒体の一般的な形は、たとえば、フロッピーディスク、フレキシブルディスク、ハードディスク、半導体ドライブ、磁気テープまたは他の任意の磁気データ記憶媒体、CD-ROM、他の任意の光学式データ記憶媒体、孔のパターンをもつ任意の物理的媒体、RAM、PROMおよびEPROM、フラッシュEPROM、NVRAM、他の任意のメモリ・チップまたはカートリッジを含む。
【０２０４】
記憶媒体は、伝送媒体とは異なるが、伝送媒体と関連して用いられてもよい。伝送媒体は、記憶媒体間で情報を転送するのに参加する。たとえば、伝送媒体は同軸ケーブル、銅線および光ファイバーを含み、バス７０２をなすワイヤを含む。伝送媒体は、電波および赤外線データ通信の際に生成されるような音響波または光波の形を取ることもできる。
【０２０５】
さまざまな形の媒体が、一つまたは複数の命令の一つまたは複数のシーケンスを実行のためにプロセッサ７０４に搬送するのに関与しうる。たとえば、命令は最初、リモート・コンピュータの磁気ディスクまたは半導体ドライブ上に担持されていてもよい。リモート・コンピュータは該命令をその動的メモリにロードし、該命令をモデムを使って電話線を通じて送ることができる。コンピュータ・システム７００にローカルなモデムが、電話線上のデータを受信し、赤外線送信器を使ってそのデータを赤外線信号に変換することができる。赤外線検出器が赤外線信号において担持されるデータを受信することができ、適切な回路がそのデータをバス７０２上に載せることができる。バス７０２はそのデータをメイン・メモリ７０６に搬送し、メイン・メモリ７０６から、プロセッサ７０４が命令を取り出し、実行する。メイン・メモリ７０６によって受信される命令は、任意的に、プロセッサ７０４による実行の前または後に記憶装置７１０上に記憶されてもよい。
【０２０６】
コンピュータ・システム７００は、バス７０２に結合された通信インターフェース７１８をも含む。通信インターフェース７１８は、ローカル・ネットワーク７２２に接続されているネットワーク・リンク７２０への双方向データ通信結合を提供する。たとえば、通信インターフェース７１８は、統合サービス・デジタル通信網（ISDN）カード、ケーブル・モデム、衛星モデムまたは対応する型の電話線へのデータ通信接続を提供するためのモデムであってもよい。もう一つの例として、通信インターフェース７１８は、互換LANへのデータ通信接続を提供するためのローカル・エリア・ネットワーク（LAN）カードであってもよい。無線リンクも実装されてもよい。そのようないかなる実装でも、通信インターフェース７１８は、さまざまな型の情報を表すデジタル・データ・ストリームを搬送する電気的、電磁的または光学的信号を送受信する。
【０２０７】
ネットワーク・リンク７２０は典型的には、一つまたは複数のネットワークを通じた他のデータ装置へのデータ通信を提供する。たとえば、ネットワーク・リンク７２０は、ローカル・ネットワーク７２２を通じてホスト・コンピュータ７２４またはインターネット・サービス・プロバイダー（ISP）７２６によって運営されているデータ設備への接続を提供してもよい。ISP  ７２６は、現在一般に「インターネット」７２８と称される世界規模のパケット・データ通信網を通じたデータ通信サービスを提供する。ローカル・ネットワーク７２２およびインターネット７２８はいずれも、デジタル・データ・ストリームを担持する電気的、電磁的または光学的信号を使う。コンピュータ・システム７００に／からデジタル・データを搬送する、さまざまなネットワークを通じた信号およびネットワーク・リンク７２０上および通信インターフェース７１８を通じた信号は、伝送媒体の例示的な形である。
【０２０８】
コンピュータ・システム７００は、ネットワーク（単数または複数）、ネットワーク・リンク７２０および通信インターフェース７１８を通じて、メッセージを送り、プログラム・コードを含めデータを受信することができる。インターネットの例では、サーバー７３０は、インターネット７２８、ISP  ７２６、ローカル・ネットワーク７２２および通信インターフェース７１８を通じてアプリケーション・プログラムのための要求されたコードを送信してもよい。
【０２０９】
受信されたコードは、受信される際にプロセッサ７０４によって実行されても、および／または、のちの実行のために記憶装置７１０または他の不揮発性記憶に記憶されてもよい。
【０２１０】
〈２０．等価物、拡張、代替その他〉
以上の明細書では、本発明の例示的実施形態について、実装によって変わりうる数多くの個別的詳細に言及しつつ述べてきた。このように、何が本発明であるか、何が出願人によって本発明であると意図されているかの唯一にして排他的な指標は、この出願に対して付与される特許の請求項の、その後の訂正があればそれも含めてかかる請求項が特許された特定の形のものである。かかる請求項に含まれる用語について本稿で明示的に記載される定義があったとすればそれは請求項において使用される当該用語の意味を支配する。よって、請求項に明示的に記載されていない限定、要素、属性、特徴、利点もしくは特性は、いかなる仕方であれかかる請求項の範囲を限定すべきではない。よって、明細書および図面は制約する意味ではなく例示的な意味で見なされるべきものである。
【０２１１】
いくつかの態様を記載しておく。
〔態様１〕
オーディオ・コンテンツと、差分利得の一つまたは複数の集合とを含むオーディオ信号を受領する段階と；
差分利得の前記一つまたは複数の集合のうちで、特定の再生環境における利得プロファイルのための差分利得の特定の集合を同定する段階と；
差分利得の前記特定の集合に関係したデフォルト・ダイナミックレンジ圧縮（DRC）曲線に少なくとも基づいてデフォルト利得の集合を生成する段階と；
少なくとも部分的にはデフォルト利得の前記集合と差分利得の前記特定の集合の組み合わせに基づいて、前記オーディオ信号から抽出された前記オーディオ・コンテンツの一つまたは複数の部分に対して一つまたは複数の動作を実行する段階とを含む、
一つまたは複数のコンピュータによって実行される方法。
〔態様２〕
デフォルト利得の前記集合は、少なくとも部分的には前記デフォルトDRC曲線に基づいて一組の利得生成動作を実行することによって生成された非差分利得を含む、態様１記載の方法。
〔態様３〕
前記デフォルトDRC曲線は、デフォルト利得プロファイルを表わす、態様１または２記載の方法。
〔態様４〕
前記デフォルトDRC曲線との関係での差分利得の前記特定の集合は、非デフォルト利得プロファイルを表わす、態様１ないし３のうちいずれか一項記載の方法。
〔態様５〕
前記オーディオ信号は、前記非デフォルト利得プロファイルに対応する非デフォルトDRC曲線についての定義データを含まない、態様４記載の方法。
〔態様６〕
差分利得の前記特定の集合は、非デフォルト利得プロファイルについて生成された非差分非デフォルト利得の集合と、前記デフォルトDRC曲線によって表わされた前記デフォルト利得プロファイルについて生成された非差分デフォルト利得の集合との間の利得差を含む、態様１ないし５のうちいずれか一項記載の方法。
〔態様７〕
前記非差分非デフォルト利得の集合と、前記非差分デフォルト利得の集合とは、前記オーディオ信号をエンコードする上流のオーディオ・デコーダによって生成される、態様６記載の方法。
〔態様８〕
前記非差分非デフォルト利得の集合または前記非差分デフォルト利得の集合の少なくとも一方は、前記オーディオ信号の一部として提供されない、態様６記載の方法。
〔態様９〕
前記一つまたは複数のDRC曲線についての前記定義データが、前記一つまたは複数のDRC曲線のうちの少なくとも一つに関係したアタック時間、リリース時間または参照ラウドネス・レベルのうちの一つまたは複数を含む、態様１ないし８のうちいずれか一項記載の方法。
〔態様１０〕
前記参照ラウドネス・レベルが、前記オーディオ・コンテンツをオーディオ・デコーダによってレンダリングするための再生レベルの目標とされる範囲を表わす、態様９記載の方法。
〔態様１１〕
前記オーディオ・コンテンツの前記一つまたは複数の部分についての一つまたは複数のラウドネス・レベルを計算する段階と；
前記非差分デフォルト利得の集合および差分利得の前記特定の集合に基づいて非差分非デフォルト利得の集合を生成する段階と；
前記オーディオ・コンテンツの前記一つまたは複数の部分に前記非差分非デフォルト利得の集合を適用する段階とをさらに含む、
態様１ないし１０のうちいずれか一項記載の方法。
〔態様１２〕
前記オーディオ・コンテンツの前記一つまたは複数の部分について計算された前記一つまたは複数のラウドネス・レベルの少なくとも一つが、一つまたは複数の周波数帯域に関する特定的ラウドネス・レベル、ブロードバンド範囲にわたるブロードバンド・ラウドネス・レベル、広帯域範囲にわたる広帯域ラウドネス・レベル、複数の周波数範囲にわたるブロードバンド・ラウドネス・レベルまたは複数の周波数範囲にわたる広帯域ラウドネス・レベルのうちの一つまたは複数である、態様１１記載の方法。
〔態様１３〕
前記オーディオ・コンテンツの前記一つまたは複数の部分について計算された前記一つまたは複数のラウドネス・レベルの少なくとも一つが、瞬時ラウドネス・レベルまたは一つまたは複数の時間区間にわたって平滑化されたラウドネス・レベルの一つまたは複数である、態様１１記載の方法。
〔態様１４〕
前記一つまたは複数の動作は、ダイアログ・ラウドネス・レベルを調整すること、利得平滑化、利得制限、ダイナミック等化またはノイズ補償のうちの一つまたは複数に関係する一つまたは複数の動作を含む、態様１ないし１３のうちいずれか一項記載の方法。
〔態様１５〕
当該方法がオーディオ・デコード装置によって実行され、前記デフォルトDRC曲線が前記オーディオ・デコード装置において定義されている、態様１ないし１４のうちいずれか一項記載の方法。
〔態様１６〕
一つまたは複数のダイナミックレンジ圧縮（DRC）曲線についての定義データを受領する段階と；
前記一つまたは複数のDRC曲線のうちで、差分利得の前記特定の集合に関係したデフォルトDRC曲線を同定する段階とをさらに含む、
態様１ないし１５のうちいずれか一項記載の方法。
〔態様１７〕
前記エンコードされたオーディオ信号から一つまたは複数の聴覚シーン解析（ASA）パラメータを抽出する段階と；
前記オーディオ・コンテンツに適用された利得を平滑化することにおいて使われる一つまたは複数の時定数を変化させる段階とをさらに含む、
態様１ないし１６のうちいずれか一項記載の方法。
〔態様１８〕
リセット・イベントの指標に基づいて前記オーディオ・コンテンツの前記一つまたは複数の部分にリセット・イベントが生じることを判別する段階であって、前記リセットの前記指標は、前記エンコードされたオーディオ信号から抽出される、段階と；
前記オーディオ・コンテンツの前記一つまたは複数の部分に前記リセット・イベントが生じることを判別することに応答して、前記オーディオ・コンテンツの前記一つまたは複数の部分において前記リセット・イベントが生じることを判別する時点において実行されている一つまたは複数の利得平滑化動作に対して一つまたは複数のアクションを行なう段階とをさらに含む、
態様１ないし１７のうちいずれか一項記載の方法。
〔態様１９〕
前記一つまたは複数の平滑化動作の少なくとも一つが、前記リセット・イベントの前には第一の平滑化時定数を使い、前記一つまたは複数の平滑化動作の前記少なくとも一つが、前記リセット・イベントが生じることを判別することに応答して前記第一の平滑化時定数より小さい第二の平滑化時定数を使う、態様１８記載の方法。
〔態様２０〕
瞬時ラウドネス・レベルのヒストグラムを維持する段階であって、前記ヒストグラムは前記オーディオ・コンテンツにおけるある時間区間から計算された瞬時ラウドネス・レベルが入れられる、段階と；
特定的ラウドネス・レベルが前記ヒストグラムの高確率領域における閾値より下であるかどうかを判定する段階であって、前記特定的ラウドネス・レベルは前記オーディオ・コンテンツの一部から計算される、段階と；
前記特定的ラウドネス・レベルが前記ヒストグラムの前記高確率領域における前記閾値より下であると判定することに応答して：
ラウドネス遷移が生じていることを判別し、
該ラウドネス遷移を高速化するために利得平滑化において使われる時定数を短くする、段階とをさらに含む、
態様１ないし１９のうちいずれか一項記載の方法。
〔態様２１〕
差分利得の前記特定の集合は、ある特定のスピーカー構成におけるすべてのチャネルの集合における第一の真部分集合における各チャネルに関係する第一の差分利得を含み、差分利得の前記特定の集合は、前記特定のスピーカー構成におけるすべてのチャネルの前記集合における第二の真部分集合における各チャネルに関係する第二の差分利得を含む、態様１ないし２０のうちいずれか一項記載の方法。
〔態様２２〕
差分利得の前記特定の集合が第一の周波数帯域に関係する第一の差分利得を含み、差分利得の前記特定の集合が第二の異なる周波数帯域に関係する第二の異なる差分利得を含む、態様１ないし２１のうちいずれか一項記載の方法。
〔態様２３〕
前記オーディオ・コンテンツの前記一つまたは複数の部分がオーディオ・データ・フレーム、オーディオ・データ・ブロックまたはオーディオ・サンプルの一つまたは複数を含む、態様１ないし２２のうちいずれか一項記載の方法。
〔態様２４〕
差分利得の前記特定の集合はラウドネス領域で定義される、態様１ないし２３のうちいずれか一項記載の方法。
〔態様２５〕
前記エンコードされたオーディオ信号がオーディオビジュアル信号の一部である、態様１ないし２４のうちいずれか一項記載の方法。
〔態様２６〕
源オーディオ・フォーマットにおけるオーディオ・コンテンツを受領する段階と；
少なくとも部分的にはデフォルト・ダイナミックレンジ圧縮（DRC）曲線に基づいてデフォルト利得の集合を生成する段階であって、前記デフォルトDRC曲線はデフォルト利得プロファイルを表わす、段階と；
非デフォルト利得プロファイルについての非デフォルト利得の集合を生成する段階と；
少なくとも部分的にはデフォルト利得の前記集合および非デフォルト利得の前記集合に基づいて、差分利得の前記集合を生成する段階であって、差分利得の前記集合は、前記デフォルトDRC曲線との関係での前記非デフォルト利得プロファイルを表わす、段階と；
前記オーディオ・コンテンツと、差分利得の前記集合を含む差分利得の前記一つまたは複数の集合とを含むオーディオ信号を生成する段階とを含む、
一つまたは複数のコンピューティング装置によって実行される方法。
〔態様２７〕
前記非デフォルト利得プロファイルはDRC曲線によって表わされる、態様２６記載の方法。
〔態様２８〕
前記オーディオ信号は、前記非デフォルト利得プロファイルを表わす前記DRC曲線についての定義データを含まない、態様２７記載の方法。
〔態様２９〕
前記非デフォルト利得プロファイルは、DRC曲線によって表わされない、態様２６ないし２８のうちいずれか一項記載の方法。
〔態様３０〕
前記一つまたは複数のダイナミックレンジ圧縮曲線についての一つまたは複数の識別子を決定する段階と；
前記一つまたは複数の識別子に基づいて参照データ貯蔵部から前記一つまたは複数のダイナミックレンジ圧縮曲線についての前記定義データを取り出す段階とをさらに含む、
態様２６ないし２９のうちいずれか一項記載の方法。
〔態様３１〕
前記デフォルト利得の集合が、少なくとも部分的には前記デフォルトDRC曲線に基づいて第一の組の利得生成動作を実行することによって生成された第一の非差分利得を含み、前記非デフォルト利得の集合が、前記非デフォルト利得プロファイルについての第二の組の利得生成動作を実行することによって生成された第二の非差分利得を含む、態様２６ないし３０のうちいずれか一項記載の方法。
〔態様３２〕
前記オーディオ・コンテンツの一つまたは複数の部分についての一つまたは複数のダイアログ・ラウドネス・レベルを計算する段階と；
前記一つまたは複数のダイアログ・ラウドネス・レベルを、前記オーディオ・コンテンツの前記一つまたは複数の部分と一緒に、前記エンコードされたオーディオ信号中にエンコードする段階とをさらに含む、
態様２６ないし３１のうちいずれか一項記載の方法。
〔態様３３〕
前記一つまたは複数のダイアログ・ラウドネス・レベルの少なくとも一つが、ダイアログ・オーディオ・コンテンツを含む一つまたは複数のオーディオ・トラックから決定される、態様３２記載の方法。
〔態様３４〕
前記オーディオ・コンテンツの前記一つまたは複数の部分に対して聴覚シーン解析（ASA）を実行する段階と；
前記オーディオ・コンテンツの前記一つまたは複数の部分に対する前記ASAの結果に基づいて一つまたは複数のASAパラメータを生成する段階と；
前記一つまたは複数のASAパラメータを、前記オーディオ・コンテンツの前記一つまたは複数の部分と一緒に、前記エンコードされたオーディオ信号中にエンコードする段階とをさらに含む、
態様２６ないし３３のうちいずれか一項記載の方法。
〔態様３５〕
前記オーディオ・コンテンツの一つまたは複数の部分において一つまたは複数のリセット・イベントが生起することを判別する段階と；
前記一つまたは複数のリセット・イベントの一つまたは複数の指標を、前記オーディオ・コンテンツの前記一つまたは複数の部分と一緒に、前記エンコードされたオーディオ信号中にエンコードする段階とをさらに含む、
態様２６ないし３４のうちいずれか一項記載の方法。
〔態様３６〕
前記オーディオ・コンテンツの一つまたは複数の部分を、オーディオ・データ・フレームまたはオーディオ・データ・ブロックの一つまたは複数にエンコードする段階をさらに含む、態様２６ないし３５のうちいずれか一項記載の方法。
〔態様３７〕
前記一つまたは複数のダイナミックレンジ圧縮曲線の少なくとも一つはラウドネス領域で定義される、態様２６ないし３６のうちいずれか一項記載の方法。
〔態様３８〕
前記エンコードされたオーディオ信号はオーディオビジュアル信号の一部である、態様２６ないし３７のうちいずれか一項記載の方法。
〔態様３９〕
前記一つまたは複数のダイナミックレンジ圧縮曲線についての前記定義データはパラメータの一つまたは複数の集合を含み、パラメータの前記一つまたは複数の集合における少なくとも一つの集合は、ルックアップテーブル、曲線または複数セグメント区分直線のうちの一つまたは複数を表わす、態様２６ないし３８のうちいずれか一項記載の方法。
〔態様４０〕
前記エンコードされたオーディオ信号が、受領側装置において定義されているDRC曲線を前記デフォルトDRC曲線として選択するための指標を含む、態様２６ないし３９のうちいずれか一項記載の方法。
〔態様４１〕
諸DRC曲線についての定義データを前記エンコードされたオーディオ信号において送る段階と；
前記一つまたは複数のDRC曲線のうちで前記デフォルトDRC曲線を選択するための指標を含める段階とをさらに含む、
態様２６ないし４０のうちいずれか一項記載の方法。
〔態様４２〕
態様１ないし４１のうちいずれか一項記載の方法を実行するよう構成されたメディア処理システム。
〔態様４３〕
態様１ないし４１のうちいずれか一項記載の方法を実行するよう構成された、プロセッサを有する装置。
〔態様４４〕
一つまたは複数のプロセッサによって実行されたときに、態様１ないし４１のうちいずれか一項記載の方法の実行を引き起こすソフトウェア命令を含む非一時的なコンピュータ可読記憶媒体。
【図１Ａ】
2020039181.tif 000008
【図１Ｂ】
2020039181.tif 000009
【図２Ａ】
2020039181.tif 000010
【図２Ｂ】
2020039181.tif 000011
【図３】
2020039181.tif 000012
【図４】
2020039181.tif 000013
【図５】
2020039181.tif 000014
【図５Ａ】
2020039181.tif 000015
【図６Ａ】
2020039181.tif 000016
【図６Ｂ】
2020039181.tif 000017
【図６Ｃ】
2020039181.tif 000018
【図６Ｄ】
2020039181.tif 000019
【図７】
2020039181.tif 000020
【外国語明細書】
2020039181000001.pdf